(57)【要約】【課題】ＣＰＵと複数のメモリとを備えた電子装置に関し、ＣＰＵとメモリとの間の信号伝送の高速化を図る。【解決手段】メモリ２１７、２２５、２３３、２４１は、信号配線群１７５、１７６、１７７、１７８のＣＰＵ２１６の信号端子接続端から同一距離に接続する。メモリ２１８、２２６、２３４、２４２は、信号配線群１７５、１７６、１７７、１７８のＣＰＵ２１６の信号端子接続端から同一距離に接続する。メモリ２１９、２２７、２３５、２４３は、信号配線群１７５、１７６、１７７、１７８のＣＰＵ２１６の信号端子接続端から同一距離に接続する。メモリ２２０、２２８、２３６、２４４は、信号配線群１７５、１７６、１７７、１７８のＣＰＵ２１６の信号端子接続端から同一距離に接続する。【選択図】　　　　　図１
2004046888.tif 000002
【特許請求の範囲】
【請求項１】
　第１面の中央部に設定されたＣＰＵ搭載領域の各辺から四方に延び、所定部分で前記第１面と対向する第２面に折り返して前記第２面を中央部に向けて延びる等長平行配線とされた同数の信号配線からなる第１、第２、第３及び第４の信号配線群を有する配線基板に、ＣＰＵがその信号端子を前記第１、第２、第３及び第４の信号配線群の信号配線に接続して前記ＣＰＵ搭載領域に搭載されていると共に、前記第１、第２、第３及び第４の信号配線群の前記ＣＰＵの信号端子接続箇所から同一距離部分に同一品種のメモリがそれぞれその信号端子を第１、第２、第３又は第４の信号配線群の信号配線に接続して搭載されていることを特徴とする電子装置。
【請求項２】
　対向する第１、第２の配線基板を有し、前記第１の配線基板の前記第２の配線基板との対向面の中央部に設定されたＣＰＵ搭載領域の各辺から四方に延び、所定の部分で前記第２の配線基板の前記第１の配線基板との対向面に折り返して前記第２の配線基板の前記第１の配線基板との対向面を中央部に向けて延びる等長平行配線とされた同数の信号配線からなる第１、第２、第３及び第４の信号配線群からなる１対の配線基板を有し、
　ＣＰＵがその信号端子を前記第１、第２、第３及び第４の信号配線群の信号端子に接続して前記ＣＰＵ搭載領域に搭載されていると共に、前記第１、第２、第３及び第４の信号配線群の前記ＣＰＵの信号端子接続箇所から同一距離部分に同一品種のメモリがそれぞれその信号端子を第１、第２、第３又は第４の信号配線群の信号配線に接続して搭載されていることを特徴とする電子装置。
【請求項３】
　対向する第１、第２の半導体基板を有し、前記第１の半導体基板の前記第２の半導体基板との対向面の中央部に設定されたＣＰＵ搭載領域の各辺から四方に延び、所定の部分で前記第２の半導体基板の前記第１の半導体基板との対向面に折り返して前記第２の半導体基板の前記第１の半導体基板との対向面を中央部に向けて延びる等長平行配線とされた同数の信号配線からなる第１、第２、第３及び第４の信号配線群を有する１対の半導体基板を有し、
　ＣＰＵがその信号端子を前記第１、第２、第３及び第４の信号配線群の信号端子に接続させて前記ＣＰＵ形成領域に形成されると共に、前記第１、第２、第３及び第４の信号配線群の前記ＣＰＵの信号端子接続箇所から同一距離部分に同一品種のメモリがそれぞれその信号端子を第１、第２、第３又は第４の信号配線群の信号配線に接続させて形成されていることを特徴とする電子装置。
【請求項４】
　前記第１、第２、第３及び第４の信号配線群の信号配線は、相補送信デジタル信号を伝送する信号配線ペアを構成していることを特徴とする請求項１、２又は３記載の電子装置。
【請求項５】
　前記ＣＰＵ及び前記メモリに第１、第２の電源電圧を供給する等長平行配線とされた第１、第２の電源配線からなる電源配線ペアを有していることを特徴とする請求項４記載の電子装置。
【発明の詳細な説明】
【技術分野】
【０００１】
　本発明は、ＣＰＵと複数のメモリとを備えた電子装置に関する。
【背景技術】
【０００２】
　図４８は従来の電子装置の一例を示す回路図である。図４８中、１、２は信号配線、３は送信デジタル信号ＴＳを相補送信デジタル信号ＣＳ、／ＣＳに相補信号化し、これら相補送信デジタル信号ＣＳ、／ＣＳを信号配線１、２に出力するＣＭＯＳ差動ドライバである。
【０００３】
　また、４は信号配線１、２を伝送されてくる相補送信デジタル信号ＣＳ、／ＣＳを受信して送信デジタル信号ＴＳに対応した受信デジタル信号ＲＳを出力するＣＭＯＳ差動レシーバである。
【０００４】
　また、ＣＭＯＳ差動ドライバ３において、５は送信デジタル信号ＴＳと同相の正相送信デジタル信号ＣＳを出力するＣＭＯＳドライバであり、６はプルアップ素子をなすｎＭＯＳトランジスタ、７はプルダウン素子をなすｐＭＯＳトランジスタである。
【０００５】
　また、８は送信デジタル信号ＴＳを逆相化してなる逆相送信デジタル信号／ＣＳを出力するＣＭＯＳインバータであり、９はプルアップ素子をなすｐＭＯＳトランジスタ、１０はプルダウン素子をなすｎＭＯＳトランジスタである。
【０００６】
　また、ＣＭＯＳ差動レシーバ４において、１１は信号配線１を伝送されてくる正相送信デジタル信号ＣＳを受信するＣＭＯＳドライバであり、１２はプルアップ素子をなすｎＭＯＳトランジスタ、１３はプルダウン素子をなすｐＭＯＳトランジスタである。
【０００７】
　また、１４は信号配線２を伝送されてくる逆相送信デジタル信号／ＣＳを受信するＣＭＯＳインバータであり、１５はプルアップ素子をなすｐＭＯＳトランジスタ、１６はプルダウン素子をなすｎＭＯＳトランジスタである。
【０００８】
　このように構成された電子装置においては、送信デジタル信号ＴＳがＬレベルからＨレベルに遷移すると、ＣＭＯＳドライバ５においては、ｎＭＯＳトランジスタ６がＯＦＦからＯＮ、ｐＭＯＳトランジスタ７がＯＮからＯＦＦとなり、ＣＭＯＳインバータ８においては、ｐＭＯＳトランジスタ９がＯＮからＯＦＦ、ｎＭＯＳトランジスタ１０がＯＦＦからＯＮとなる。
【０００９】
　この結果、ＣＭＯＳドライバ１１の入力端をＬレベルからＨレベルに遷移させるための電荷がＣＭＯＳドライバ５から信号配線１に供給されると共に、ＣＭＯＳインバータ１４の入力端をＨレベルからＬレベルに遷移させるための電荷が信号配線２からＣＭＯＳインバータ８を介して接地に引き抜かれる。
【００１０】
　この現象は、ＣＭＯＳドライバ１１の入力端をＬレベルからＨレベルに遷移させるための正の信号エネルギーがＣＭＯＳドライバ５から信号配線１に供給されると共に、ＣＭＯＳインバータ１４の入力端をＨレベルからＬレベルに遷移させるための負の信号エネルギーがＣＭＯＳインバータ８から信号配線２に供給されると見ることができる。
【００１１】
　そして、ＣＭＯＳドライバ１１の入力端がＬレベルからＨレベル、ＣＭＯＳインバータ１４の入力端がＨレベルからＬレベルになると、ＣＭＯＳドライバ１１においては、ｎＭＯＳトランジスタ１２がＯＦＦからＯＮ、ｐＭＯＳトランジスタ１３がＯＮからＯＦＦとなり、ＣＭＯＳインバータ１４においては、ｐＭＯＳトランジスタ１５がＯＦＦからＯＮ、ｎＭＯＳトランジスタ１６がＯＮからＯＦＦとなる。
【００１２】
　この結果、ＣＭＯＳドライバ１１及びＣＭＯＳインバータ１４の出力は、共にＬレベルからＨレベルとなるので、ＣＭＯＳ差動レシーバ４が出力する受信デジタル信号ＲＳはＬレベルからＨレベルとなり、ＣＭＯＳ差動レシーバ４は、送信デジタル信号ＴＳを受信したことになる。
【００１３】
　これに対して、送信デジタル信号ＴＳがＨレベルからＬレベルに遷移すると、ＣＭＯＳドライバ５においては、ｎＭＯＳトランジスタ６がＯＮからＯＦＦ、ｐＭＯＳトランジスタ７がＯＦＦからＯＮとなり、ＣＭＯＳインバータ８においては、ｐＭＯＳトランジスタ９がＯＦＦからＯＮ、ｎＭＯＳトランジスタ１０がＯＮからＯＦＦとなる。
【００１４】
　この結果、ＣＭＯＳドライバ１１の入力端をＨレベルからＬレベルに遷移させるための電荷が信号配線１からＣＭＯＳドライバ５を介して接地に引き抜かれると共に、ＣＭＯＳインバータ１４の入力端をＬレベルからＨレベルに遷移させるための電荷がＣＭＯＳインバータ８から信号配線２に供給される。
【００１５】
　この現象は、ＣＭＯＳドライバ１１の入力端をＨレベルからＬレベルに遷移させるための負の信号エネルギーがＣＭＯＳドライバ５から信号配線１に供給されると共に、ＣＭＯＳインバータ１４の入力端をＬレベルからＨレベルに遷移させるための正の信号エネルギーがＣＭＯＳインバータ８から信号配線２に供給されると見ることができる。
【００１６】
　そして、ＣＭＯＳドライバ１１の入力端がＨレベルからＬレベル、ＣＭＯＳインバータ１４の入力端がＬレベルからＨレベルになると、ＣＭＯＳドライバ１１においては、ｎＭＯＳトランジスタ１２がＯＮからＯＦＦ、ｐＭＯＳトランジスタ１３がＯＦＦからＯＮとなり、ＣＭＯＳインバータ１４においては、ｐＭＯＳトランジスタ１５がＯＮからＯＦＦ、ｎＭＯＳトランジスタ１６がＯＦＦからＯＮとなる。
【００１７】
　この結果、ＣＭＯＳドライバ１１及びＣＭＯＳインバータ１４の出力は、共にＨレベルからＬレベルとなるので、ＣＭＯＳ差動レシーバ４が出力する受信デジタル信号ＲＳはＨレベルからＬレベルとなり、ＣＭＯＳ差動レシーバ４は、送信デジタル信号ＴＳを受信したことになる。
【００１８】
　このように、図４８に示す従来の電子装置は、送信デジタル信号ＴＳが遷移した場合、ＣＭＯＳ差動ドライバ３から相補信号エネルギーを信号配線１、２に供給することにより、送信デジタル信号ＴＳを相補信号化してなる相補送信デジタル信号ＣＳ、／ＣＳを信号配線１、２を介してＣＭＯＳ差動レシーバ４に伝送するというものである。
【００１９】
　図４８に示す従来の電子装置において、信号配線１、２をカップリング係数が１に近い等長平行配線とする場合には、信号配線１、２を電磁界がほぼ閉じている伝送線路とし、相補送信デジタル信号ＣＳ、／ＣＳをＴＥＭ（Ｔransversed Ｅlectromagnetic Ｍode）伝送に近いモードで伝送し、信号伝送の高速化を図ることができる。
【特許文献１】特開平８−２８６７９４号公報
【発明の開示】
【発明が解決しようとする課題】
【００２０】
　ドライバから出力される送信デジタル信号を信号配線を介してレシーバに伝送する伝送回路を有する電子装置、例えば、ＣＰＵと複数のメモリとを備えた電子装置においては、ＣＰＵとメモリとの間の信号伝送の高速化が要請されている。
【００２１】
　本発明は、かかる点に鑑み、ＣＰＵと複数のメモリとを備えた電子装置であって、ＣＰＵとメモリとの間の信号伝送の高速化を図ることができるようにした電子装置を提供することを第１の目的とする。本発明の他の目的は、本発明の説明の記載から明瞭になる。
【課題を解決するための手段】
【００２２】
　本発明中、第１の発明の電子装置は、第１面の中央部に設定されたＣＰＵ搭載領域の各辺から四方に延び、所定部分で第１面と対向する第２面に折り返して第２面を中央部に向けて延びる等長平行配線とされた同数の信号配線からなる第１、第２、第３及び第４の信号配線群を有する配線基板に、ＣＰＵがその信号端子を第１、第２、第３及び第４の信号配線群の信号配線に接続してＣＰＵ搭載領域に搭載されていると共に、第１、第２、第３及び第４の信号配線群のＣＰＵの信号端子接続箇所から同一距離部分に同一品種のメモリがそれぞれその信号端子を第１、第２、第３又は第４の信号配線群の信号配線に接続して搭載されているというものである。
【００２３】
　本発明中、第２の発明の電子装置は、対向する第１、第２の配線基板を有し、第１の配線基板の第２の配線基板との対向面の中央部に設定されたＣＰＵ搭載領域の各辺から四方に延び、所定の部分で第２の配線基板の第１の配線基板との対向面に折り返して第２の配線基板の第１の配線基板との対向面を中央部に向けて延びる等長平行配線とされた同数の信号配線からなる第１、第２、第３及び第４の信号配線群からなる１対の配線基板を有し、ＣＰＵがその信号端子を第１、第２、第３及び第４の信号配線群の信号端子に接続してＣＰＵ搭載領域に搭載されていると共に、第１、第２、第３及び第４の信号配線群のＣＰＵの信号端子接続箇所から同一距離部分に同一品種のメモリがそれぞれその信号端子を第１、第２、第３又は第４の信号配線群の信号配線に接続して搭載されているというものである。
【００２４】
　本発明中、第３の発明の電子装置は、対向する第１、第２の半導体基板を有し、第１の半導体基板の第２の半導体基板との対向面の中央部に設定されたＣＰＵ搭載領域の各辺から四方に延び、所定の部分で第２の半導体基板の第１の半導体基板との対向面に折り返して第２の半導体基板の第１の半導体基板との対向面を中央部に向けて延びる等長平行配線とされた同数の信号配線からなる第１、第２、第３及び第４の信号配線群を有する１対の半導体基板を有し、ＣＰＵがその信号端子を第１、第２、第３及び第４の信号配線群の信号端子に接続させてＣＰＵ形成領域に形成されると共に、第１、第２、第３及び第４の信号配線群のＣＰＵの信号端子接続箇所から同一距離部分に同一品種のメモリがそれぞれその信号端子を第１、第２、第３又は第４の信号配線群の信号配線に接続させて形成されているというものである。
【００２５】
　本発明中、第４の発明の電子装置は、第１、第２又は第３の発明において、第１、第２、第３及び第４の信号配線群の信号配線は、相補送信デジタル信号を伝送する信号配線ペアを構成しているというものである。
【００２６】
　本発明中、第５の発明の電子装置は、第４の発明において、ＣＰＵ及びメモリに第１、第２の電源電圧を供給する等長平行配線とされた第１、第２の電源配線からなる電源配線ペアを有しているというものである。
【発明の効果】
【００２７】
　本発明中、第１の発明によれば、ＣＰＵと、ＣＰＵによりアクセスされる多数のメモリとを等長平行配線とされた信号配線で接続する必要がある電子装置を１枚の配線基板を使用して構成する場合に、信号配線を最も短く形成することができ、ＣＰＵとメモリとの間の信号伝送の高速化を図ることができる。
【００２８】
　本発明中、第２の発明によれば、ＣＰＵと、ＣＰＵによりアクセスされる多数のメモリとを等長平行配線とされた信号配線で接続する必要がある電子装置を１対の配線基板を使用して構成する場合に、信号配線を最も短く形成することができ、ＣＰＵとメモリとの間の信号伝送の高速化を図ることができる。
【００２９】
　本発明中、第３の発明によれば、ＣＰＵと、ＣＰＵによりアクセスされる多数のメモリとを等長平行配線とされた信号配線で接続する必要がある電子装置を１対の半導体基板を使用して構成する場合に、信号配線を最も短く形成することができ、ＣＰＵとメモリとの間の信号伝送の高速化を図ることができる。
【００３０】
　本発明中、第４の発明によれば、信号配線ペアを電磁界がほぼ閉じた伝送線路として機能させることができ、この点からも、ＣＰＵとメモリとの間の信号伝送の高速化を図ることができる。
【００３１】
　本発明中、第５の発明によれば、ＣＰＵ及びメモリに第１、第２の電源電圧を供給する第１、第２の電源配線は等長平行配線とされているので、これら第１、第２の電源配線は、ＣＰＵ及びメモリに供給すべき相補信号エネルギーに対して電磁界がほぼ閉じた伝送線路として機能する。
【００３２】
　したがって、第１、第２の電源配線を介してＣＰＵ及びメモリに供給すべき相補信号エネルギーを、減衰させることなく、ＣＰＵ及びメモリに高速に供給することができ、ＣＰＵ及びメモリとの間での相補送信デジタル信号の伝送の高速化を図ることができる。
【発明を実施するための最良の形態】
【００３３】
　以下、図１〜図４７を参照して、本発明の第１実施形態〜第５実施形態及び第１参考例〜第２２参考例について説明する。
【００３４】
　（第１実施形態・・図１〜図５）
　図１及び図２はそれぞれ本発明の第１実施形態の概略的平面図及び概略的下面図であり、図１及び図２において、１６６は配線基板、１６７は配線基板１６６の表面、１６８は配線基板１６６の裏面、１６９〜１７２はスルーホール群である。
【００３５】
　また、図３及び図４はそれぞれ配線基板１６６の表面１６７及び裏面１６８に形成されている配線の一部分を示す概略的平面図及び概略的下面図であり、図３において、１７３は配線基板１６６の表面１６７の中央部に設定された矩形のＣＰＵ搭載領域であり、図４において、１７４は配線基板１６６の裏面１６８の中央部に設定された矩形の終端抵抗形成領域である。
【００３６】
　また、図３、図４において、１７５はＣＰＵ搭載領域１７３の辺１７３Ａの近傍から配線基板１６６の表面１６７側を配線基板１６６の辺１６６Ａに向けて延び、スルーホール群１６９を介して配線基板１６６の裏面１６８側に折り返し、配線基板１６６の裏面１６８側を終端抵抗形成領域１７４に向けて延びるデータ線、アドレス信号線、コントロール信号線及びクロック信号線をなす等長平行配線とされた送信デジタル信号を相補信号化してなる相補送信デジタル信号を伝送する信号配線ペアからなる信号配線群である。
【００３７】
　また、１７６はＣＰＵ搭載領域１７３の辺１７３Ｂの近傍から配線基板１６６の表面１６７側を配線基板１６６の辺１６６Ｂに向けて延び、スルーホール群１７０を介して配線基板１６６の裏面１６８側に折り返し、配線基板１６６の裏面１６８側を終端抵抗形成領域１７４に向けて延びるデータ線、アドレス信号線、コントロール信号線及びクロック信号線をなす等長平行配線とされた送信デジタル信号を相補信号化してなる相補送信デジタル信号を伝送する信号配線ペアからなる信号配線群である。
【００３８】
　また、１７７はＣＰＵ搭載領域１７３の辺１７３Ｃの近傍から配線基板１６６の表面１６７側を配線基板１６６の辺１６６Ｃに向けて延び、スルーホール群１７１を介して配線基板１６６の裏面１６８側に折り返し、配線基板１６６の裏面１６８側を終端抵抗形成領域１７４に向けて延びるデータ線、アドレス信号線、コントロール信号線及びクロック信号線をなす等長平行配線とされた送信デジタル信号を相補信号化してなる相補送信デジタル信号を伝送する信号配線からなる信号配線群である。
【００３９】
　また、１７８はＣＰＵ搭載領域１７３の辺１７３Ｄの近傍から配線基板１６６の表面１６７側を配線基板１６６の辺１６６Ｄに向けて延び、スルーホール群１７２を介して配線基板１６６の裏面１６８側に折り返し、配線基板１６６の裏面１６８側を終端抵抗形成領域１７４に向けて延びるデータ線、アドレス信号線、コントロール信号線及びクロック信号線をなす等長平行配線とされた送信デジタル信号を相補信号化してなる相補送信デジタル信号を伝送する信号配線からなる信号配線群である。
【００４０】
　また、図３において、１７９、１８０はＣＰＵ用の電源・接地配線ペア、１８１〜１８４、１８９〜１９２、１９７〜２００、２０５〜２０８はメモリ用の電源・接地配線ペア、図４において、１８５〜１８８、１９３〜１９６、２０１〜２０４、２０９〜２１２はメモリ用の電源・接地配線ペア、２１３、２１４は入出力チップ用の電源・接地配線ペアである。
【００４１】
　また、図１において、２１６は配線基板１６６の表面１６７のＣＰＵ搭載領域１７３に搭載されたＣＰＵであり、ＣＰＵ２１６は、データ入出力端子、アドレス出力端子、コントロール信号出力端子、クロック入力端子、クロック出力端子を信号配線群１７５〜１７８の信号配線に接続され、電源電圧入力端子及び接地電圧入力端子を電源・接地配線ペア１７９、１８０を構成する電源配線及び、接地配線に接続されている。
【００４２】
　また、図１及び図２において、２１７〜２２４、２２５〜２３２、２３３〜２４０、２４１〜２４８は配線基板１６６の表面１６７及び裏面１６８に搭載された同一品種のメモリである。
【００４３】
　ここに、メモリ２１７〜２２４は、共に、データ入出力端子、アドレス入力端子、コントロール信号入力端子、クロック入力端子を信号配線群１７５の信号配線に接続されている。また、これらメモリ２１７〜２２４は、それぞれ、その電源電圧入力端子及び接地電圧入力端子を電源・接地配線ペア１８１〜１８８を構成する電源配線及び接地配線に接続されている。
【００４４】
　また、メモリ２２５〜２３２は、共に、データ入出力端子、アドレス入力端子、コントロール信号入力端子、クロック入力端子を信号配線群１７６の信号配線に接続されている。また、これらメモリ２２５〜２３２は、それぞれ、その電源電圧入力端子及び接地電圧入力端子を電源・接地配線ペア１８９〜１９６を構成する電源配線及び接地配線に接続されている。
【００４５】
　また、メモリ２３３〜２４０は、共に、データ入出力端子、アドレス入力端子、コントロール信号入力端子、クロック入力端子を信号配線群１７７の信号配線に接続されている。また、これらメモリ２３３〜２４０は、それぞれ、その電源電圧入力端子及び接地電圧入力端子を電源・接地配線ペア１９７〜２０４を構成する電源配線及び接地配線に接続されている。
【００４６】
　また、メモリ２４１〜２４８は、共に、データ入出力端子、アドレス入力端子、コントロール信号入力端子、クロック入力端子を信号配線群１７８の信号配線に接続されている。また、これらメモリ２４１〜２４８は、それぞれ、その電源電圧入力端子及び接地電圧入力端子を電源・接地配線ペア２０５〜２１２を構成する電源配線及び接地配線に接続されている。
【００４７】
　また、メモリ２１７、２２５、２３３、２４１は、それぞれ、信号配線群１７５、１７６、１７７、１７８のＣＰＵ２１６の信号端子接続端から同一距離に接続されている。
【００４８】
　また、メモリ２１８、２２６、２３４、２４２は、それぞれ、信号配線群１７５、１７６、１７７、１７８のＣＰＵ２１６の信号端子接続端から同一距離に接続されている。
【００４９】
　また、メモリ２１９、２２７、２３５、２４３は、それぞれ、信号配線群１７５、１７６、１７７、１７８のＣＰＵ２１６の信号端子接続端から同一距離に接続されている。
【００５０】
　また、メモリ２２０、２２８、２３６、２４４は、それぞれ、信号配線群１７５、１７６、１７７、１７８のＣＰＵ２１６の信号端子接続端から同一距離に接続されている。
【００５１】
　また、メモリ２２１、２２９、２３７、２４５は、それぞれ、信号配線群１７５、１７６、１７７、１７８のＣＰＵ２１６の信号端子接続端から同一距離に接続されている。
【００５２】
　また、メモリ２２２、２３０、２３８、２４６は、それぞれ、信号配線群１７５、１７６、１７７、１７８のＣＰＵ２１６の信号端子接続端から同一距離に接続されている。
【００５３】
　また、メモリ２２３、２３１、２３９、２４７は、それぞれ、信号配線群１７５、１７６、１７７、１７８のＣＰＵ２１６の信号端子接続端から同一距離に接続されている。
【００５４】
　また、メモリ２２４、２３２、２４０、２４８は、それぞれ、信号配線群１７５、１７６、１７７、１７８のＣＰＵ２１６の信号端子接続端から同一距離に接続されている。
【００５５】
　また、図５は終端抵抗形成領域１７４を示す概略的平面図であり、図５中、２５０は信号配線群１７５の信号配線ペアを終端する終端抵抗群、２５１は信号配線群１７６の信号配線ペアを終端する終端抵抗群、２５２は信号配線群１７７の信号配線ペアを終端する終端抵抗群、２５３は信号配線群１７８の信号配線ペアを終端する終端抵抗群である。
【００５６】
　また、図２において、２５５は入出力チップ、２５６はクロック・ジェネレータ、２５７はＰＣＩポート、２５８は画像音声ポート、２５９は信号圧縮伸長チップ、２６０は通信ポートである。
【００５７】
　このように構成された本発明の第１実施形態によれば、ＣＰＵ２１６と、ＣＰＵ２１６によりアクセスされる３２個のメモリ２１７〜２４８とを等長平行配線とされた信号配線で接続する必要がある電子装置を構成する必要がある場合において、信号配線を最も短く形成することができる。
【００５８】
　また、信号配線群１７５、１７６、１７７、１７８を構成する信号配線は、相補送信デジタル信号を伝送する等長平行配線とされた信号配線ペアを構成しているので、信号配線を電磁界がほぼ閉じた伝送線路として機能させることができ、ＣＰＵ２１６と、ＣＰＵ２１６にアクセスされるメモリとの間の信号伝送に必要な相補信号エネルギーの伝送の高速化を図ることができる。
【００５９】
　また、ＣＰＵ２１６及びメモリ２１７〜２４８に電源・接地配線ペア１７９、１８０、１８１〜２１２のそれぞれは、電源配線及び接地配線を等長平行配線とされているので、ＣＰＵ２１６及びメモリ２１７〜２４８に供給すべき相補信号エネルギーに対して電磁界がほぼ閉じた伝送線路として機能させることができ、ＣＰＵ２１６及びメモリ２１７〜２４８に対する相補信号エネルギーの供給の高速化を図ることができる。
【００６０】
　したがって、本発明の第１実施形態によれば、ＣＰＵ２１６と、ＣＰＵ２１６によりアクセスされる３２個のメモリ２１７〜２４８とを等長平行配線とされた信号配線で接続する必要がある電子装置を１枚の配線基板１６６を使用して構成する場合において、ＣＰＵ２１６とＣＰＵ２１６にアクセスされるメモリとの間の信号伝送の高速化を図ることができる。
【００６１】
　（第２実施形態・・図６）
　図６は本発明の第２実施形態の要部を示す概略的断面図であり、本発明の第２実施形態は、配線基板１６６の裏面１６８に終端抵抗形成領域１７４を設けずに、終端抵抗を形成してなる終端抵抗チップ２６２を配線基板１６６の裏面１６８の中央部に搭載し、この終端抵抗チップ２６２上に入出力チップ２５５を搭載するようにし、その他については、図１及び図２に示す本発明の第１実施形態と同様に構成したものである。なお、図６中、２６３〜２６６は半田バンプである。
【００６２】
　本発明の第２実施形態によれば、図１及び図２に示す本発明の第１実施形態と同様に、ＣＰＵ２１６と、ＣＰＵ２１６によりアクセスされる３２個のメモリ２１７〜２４８とを等長平行配線とされた信号配線で接続する必要がある電子装置を１枚の配線基板１６６を使用して構成する場合において、ＣＰＵ２１６とＣＰＵ２１６にアクセスされるメモリとの間の信号伝送の高速化を図ることができる。
【００６３】
　（第３実施形態・・図７、図８）
　図７及び図８はそれぞれ本発明の第３実施形態の概略的平面図及び概略的下面図であり、本発明の第３実施形態は、電源・接地配線ペアの構成を本発明の第１実施形態と異なる構成とし、その他については、本発明の第１実施形態と同様に構成したものである。
【００６４】
　本発明の第３実施形態においては、配線基板１６６の表面１６７側に設けられる電源・接地配線ペア１７９、１８１〜１８４、１８９〜１９２は、電源・接地配線ペア２６８から分岐するように構成され、電源・接地配線ペア１８０、１９７〜２００、２０５〜２０８は、電源・接地配線ペア２６９から分岐するように構成されている。
【００６５】
　これら電源・接地配線ペア２６８、１７９、１８１〜１８４、１８９〜１９２及び電源・接地配線ペア２６９、１８０、１９７〜２００、２０５〜２０８は、スタック配線構造とされている。
【００６６】
　また、配線基板１６６の裏面１６８側に設けられる電源・接地配線ペア２１３、１８５〜１８８、１９３〜１９６は、電源・接地配線ペア２７０から分岐するように構成され、電源・接地配線ペア２１４、２０１〜２０４、２０９〜２１２は、電源・接地配線ペア２７１から分岐するように構成されている。
【００６７】
　これら電源・接地配線ペア２７０、２１３、１８５〜１８８、１９３〜１９６及び電源・接地配線ペア２７１、２１４、２０１〜２０４、２０９〜２１２は、スタック配線構造とされている。
【００６８】
　なお、これら電源・接地配線ペア２６８、１７９、１８１〜１８４、１８９〜１９２、電源・接地配線ペア２６９、１８０、１９７〜２００、２０５〜２０８、電源・接地配線ペア２７０、２１３、１８５〜１８８、１９３〜１９６及び電源・接地配線ペア２７１、２１４、２０１〜２０４、２０９〜２１２は、それぞれ、分岐点において特性インピーダンスが整合するように構成されている。
【００６９】
　本発明の第３実施形態によれば、ＣＰＵ２１６と、ＣＰＵ２１６によりアクセスされる３２個のメモリ２１７〜２４８とを等長平行配線とされた信号配線で接続する必要がある電子装置を１枚の配線基板１６６を使用して構成する場合において、ＣＰＵ２１６とＣＰＵ２１６にアクセスされるメモリとの間の信号伝送の高速化を図ることができる。
【００７０】
　（第４実施形態・・図９）
　図９は本発明の第４実施形態の概略的断面図であり、図９中、２７３、２７４は配線基板であり、配線基板２７３は、配線基板２７４との対向面２７５を素子搭載面、配線基板２７４は、配線基板２７３との対向面２７６を素子搭載面とされている。
【００７１】
　本発明の第４実施形態においては、配線基板２７３の素子搭載面２７５側は、図１に示す本発明の第１実施形態の配線基板１６６の表面１６７側と同様の構成とされ、配線基板２７４の素子搭載面２７６は、図２に示す本発明の第１実施形態の配線基板１６６の裏面１６８側と同様に構成されている。
【００７２】
　即ち、配線基板２７３の素子搭載面２７５には、図１に示す本発明の第１実施形態の配線基板１６６の表面１６７側に形成されている信号配線群１７５、１７６、１７７、１７８及び電源・接地配線ペア１７９、１８０、１８１〜１８４、１８９〜１９２、１９７〜２００、２０５〜２０８が本発明の第１実施形態の場合と同様に形成されている。
【００７３】
　また、配線基板２７３の素子搭載面２７５には、図１に示す本発明の第１実施形態の配線基板１６６の表面１６７側に搭載されているＣＰＵ２１６及びメモリ２１７〜２２０、２２５〜２２８、２３３〜２３６、２４１〜２４４が本発明の第１実施形態の場合と同様に搭載されている。
【００７４】
　また、配線基板２７４の素子搭載面２７６には、図２に示す第１実施形態の配線基板１６６の裏面１６８側に形成されている信号配線群１７５、１７６、１７７、１７８及び電源・接地配線ペア１８５〜１８８、１９３〜１９６、２０１〜２０４、２０９〜２１２、２１３、２１４が本発明の第１実施形態の場合と同様に形成されている。
【００７５】
　また、配線基板２７４の素子搭載面２７６には、図２に示す第１実施形態の配線基板１６６の裏面１６８側に搭載されているメモリ２２１〜２２４、２２９〜２３２、２３７〜２４０、２４５〜２４８及び入出力チップ２５５が本発明の第１実施形態の場合と同様に搭載されている。
【００７６】
　そして、配線基板２７３と配線基板２７４とは、素子搭載面２７５と素子搭載面２７６とを対向させて半田バンプにより接続されており、配線基板２７４の周辺部には、外部との接続を図る電極が形成されている。なお、２７７、２７８は半田バンプの一部を示している。
【００７７】
　本発明の第４実施形態によれば、ＣＰＵ２１６と、ＣＰＵ２１６によりアクセスされる３２個のメモリ２１７〜２４８とを等長平行配線とされた信号配線で接続する必要がある電子装置を１対の配線基板２７３、２７４を使用して構成する場合において、ＣＰＵ２１６とＣＰＵ２１６にアクセスされるメモリとの間の信号伝送の高速化を図ることができる。
【００７８】
　なお、配線基板２７３の素子搭載面２７５側を図７に示す本発明の第３実施形態の配線基板１６６の表面１６７側と同様に構成し、配線基板２７４の素子搭載面２７６を図８に示す本発明の第３実施形態の配線基板１６６側の裏面１６８側と同様に構成しても良い。
【００７９】
　（第５実施形態・・図１０、図１１）
　図１０は本発明の第５実施形態の概略的平面図、図１１は図１０のＸ１−Ｘ１線に沿った概略的断面図である。図１０中、２８０、２８１は半導体基板であり、半導体基板２８０は、半導体基板２８１との対向面２８２を素子形成面、半導体基板２８１は、半導体基板２８０との対向面２８３を素子形成面とされている。
【００８０】
　本発明の第５実施形態においては、半導体基板２８０の素子形成面２８２側は、図１に示す本発明の第１実施形態の配線基板１６６の表面１６７側と同様の構成がウエハプロセスで形成され、半導体基板２８１の素子形成面２８３は、図２に示す本発明の第１実施形態の配線基板１６６の裏面１６８側と同様の構成がウエハプロセスで形成されている。
【００８１】
　即ち、半導体基板２８０の素子形成面２８２には、図１に示す第１実施形態の配線基板１６６の表面１６７側に搭載されているＣＰＵ２１６及びメモリ２１７〜２２０、２２５〜２２８、２３３〜２３６、２４１〜２４４が本発明の第１実施形態の場合と同様の配置で形成されている。
【００８２】
　また、半導体基板２８０の素子形成面２８２には、図１に示す第１実施形態の配線基板１６６の表面１６７側に形成されている信号配線群１７５、１７６、１７７、１７８及び電源・接地配線ペア１７９、１８０、１８１〜１８４、１８９〜１９２、１９７〜２００、２０５〜２０８が本発明の第１実施形態の場合と同様の配置で形成されている。
【００８３】
　また、半導体基板２８１の素子形成面２８３には、図２に示す第１実施形態の配線基板１６６の裏面１６８側に搭載されているメモリ２２１〜２２４、２２９〜２３２、２３７〜２４０、２４５〜２４８及び入出力チップ２５５が本発明の第１実施形態の場合と同様の配置で形成されている。
【００８４】
　また、半導体基板２８１の素子形成面２８３には、図２に示す第１実施形態の配線基板１６６の裏面１６８側に形成されている信号配線群１７５、１７６、１７７、１７８及び電源・接地配線ペア１８５〜１８８、１９３〜１９６、２０１〜２０４、２０９〜２１２、２１３、２１４が本発明の第１実施形態の場合と同様の配置で形成されている。
【００８５】
　そして、半導体基板２８０と半導体基板２８１とは、素子形成面２８２と素子形成面２８３とを対向させて半田バンプにより接続されており、半導体基板２８１の周辺部には、外部との接続を図る電極群２８４が形成されている。なお、２８５、２８６は半田バンプの一部を示している。
【００８６】
　本発明の第５実施形態によれば、ＣＰＵ２１６と、ＣＰＵ２１６によりアクセスされる３２個のメモリ２１７〜２４８とを等長平行配線とされた信号配線で接続する必要がある電子装置を１対の半導体基板２８０、２８１を使用して構成する場合において、ＣＰＵ２１６とＣＰＵ２１６にアクセスされるメモリとの間の信号伝送の高速化を図ることができる。
【００８７】
　なお、半導体基板２８０の素子形成面２８２側を図７に示す本発明の第３実施形態の配線基板１６６の表面１６７側と同様の構成をウエハプロセスで形成し、半導体基板２８１の素子形成面２８３を図８に示す本発明の第３実施形態の配線基板１６６の裏面１６８側と同様の構成をウエハプロセスで形成するようにしても良い。
【００８８】
　（第１参考例・・図１２〜図１４）
　図１２は本発明の第１参考例の概念図であり、本発明の第１参考例は、１対の信号配線ペアを有し、この１対の信号配線ペアに分岐が存在せず、かつ、１方向の信号伝送を行う伝送回路が構成されている場合を例にするものである。
【００８９】
　図１２中、２０は配線基板、２１は配線基板２０に形成されたカップリング係数を大とする等長平行配線とされた信号配線２２、２３からなる信号配線ペアである。
【００９０】
　また、２４は配線基板２０に形成された正の電源電圧ＶＤＤを入力するための電源電圧入力端子、２５は配線基板２０に形成された接地電圧ＶＳＳを入力するための接地電圧入力端子である。
【００９１】
　また、２６は配線基板２０に形成されたカップリング係数を大とする等長平行配線からなる電源配線２７及び接地配線２８からなる電源・接地配線ペアであり、この電源・接地配線ペア２６は、その特性インピーダンスを信号配線ペア２１の特性インピーダンスと同一とされている。
【００９２】
　また、２９は配線基板２０に搭載された集積回路チップ（以下、ＩＣチップという）であり、このＩＣチップ２９は、その電源電圧入力端子２９Ａを電源配線２７に接続され、その接地電圧入力端子２９Ｂを接地配線２８に接続され、その信号出力端子２９Ｃ、２９Ｄをそれぞれ信号配線２２、２３の一端に接続されている。
【００９３】
　また、ＩＣチップ２９において、３０は内部回路（図示せず）から与えられる送信デジタル信号ＴＳを相補送信デジタル信号ＣＳ、／ＣＳに相補信号化し、これら相補送信デジタル信号ＣＳ、／ＣＳを信号出力端子２９Ｃ、２９Ｄを介して信号配線２２、２３に出力するＣＭＯＳ差動ドライバである。
【００９４】
　また、ＣＭＯＳ差動ドライバ３０において、３１は図４８に示すＣＭＯＳドライバ５と同一構成のＣＭＯＳドライバ、３２は図４８に示すＣＭＯＳインバータ８と同一構成のＣＭＯＳインバータである。
【００９５】
　また、３３は配線基板２０に搭載されたＩＣチップであり、ＩＣチップ３３は、その信号入力端子３３Ａ、３３Ｂをそれぞれ信号配線２２、２３の他端に接続されている。
【００９６】
　また、ＩＣチップ３３において、３４は信号配線２２、２３を伝送されてくる相補送信デジタル信号ＣＳ、／ＣＳを受信して送信デジタル信号ＴＳに対応する受信デジタル信号ＲＳを内部回路（図示せず）に対して出力するＣＭＯＳ差動レシーバであり、このＣＭＯＳ差動レシーバ３４は、図４８に示すＣＭＯＳ差動レシーバ４と同一構成とされている。
【００９７】
　なお、信号配線ペア２１の特性インピーダンスは、２０〜１００［Ω］の間で自由に設定することができるが、ＣＭＯＳ差動レシーバ３４のゲートがＣＭＯＳゲート（ＣＭＯＳドライバ及びＣＭＯＳインバータ）であるため、信号配線ペア２１を伝送されてきた相補送信デジタル信号ＣＳ、／ＣＳが反射し、反射された相補送信デジタル信号ＣＳ、／ＣＳは、信号配線ペア２１を逆走し、ＣＭＯＳ差動ドライバ３０に達してしまう。
【００９８】
　そこで、ＣＭＯＳ差動ドライバ３０のオン抵抗を信号配線ペア２１の特性インピーダンスに整合させ、信号配線ペア２１を逆走してくる反射相補送信デジタル信号ＣＳ、／ＣＳを吸収するように構成することが好適であり、このように構成する場合には、信号配線ペア２１を逆走してくる反射相補送信デジタル信号ＣＳ、／ＣＳがＣＭＯＳ差動ドライバ３０側で再度反射することなく、順走相補送信デジタル信号ＣＳ、／ＣＳをいかなるタイミングでも乱すことはなくなる。
【００９９】
　図１３は信号配線ペア２１及び電源・接地配線ペア２６の第１構成例を示す概略的断面図であり、この第１構成例では、これら信号配線ペア２１及び電源・接地配線ペア２６がコプレーナ配線構造となるように、配線基板２０を構成する絶縁基板３５の同一面に、信号配線２２、２３と、電源配線２７と、接地配線２８とが平行に形成されており、信号配線ペア２１及び電源・接地配線ペア２６の周辺には、ペア配線構造ではない、いわゆるベタの電源配線や接地配線は形成されていない。
【０１００】
　ここに、信号配線２２と信号配線２３の幅方向の中心間距離、及び、電源配線２７と接地配線２８の幅方向の中心間距離を共にａとし、信号配線ペア２１と電源・接地配線ペア２６との間隔をｂとすると、ｂ＞２ａとする場合には、信号配線２２と信号配線２３との間のカップリング係数、及び、電源配線２７と接地配線２８との間のカップリング係数を共に１に近くすることができ、信号配線ペア２１及び電源・接地配線ペア２６を電磁界がほぼ閉じた伝送線路とすることができる。
【０１０１】
　図１４は信号配線ペア２１及び電源・接地配線ペア２６の第２構成例を示す概略的断面図であり、この第２構成例では、これら信号配線ペア２１及び電源・接地配線ペア２６がスタック配線構造となるように、絶縁基板３５を挟んで、信号配線２２と信号配線２３とが対向し、電源配線２７と接地配線２８とが対向するように形成されており、信号配線ペア２１及び電源・接地配線ペア２６の周辺には、ペア配線構造ではない、いわゆるベタの電源配線、接地配線は形成されていない。
【０１０２】
　ここに、絶縁基板３５の厚みをｔ、信号配線２２、２３、電源配線２７及び接地配線２８の配線幅を共にｃ、隣接する配線ペアとの間隔をｓとすると、ｓ／（ｔ＋ｃ）＞２とする場合には、信号配線２２と信号配線２３との間のカップリング係数、及び、電源配線２７と接地配線２８との間のカップリング係数を共に１に近くすることができ、信号配線ペア２１及び電源・接地配線ペア２６を電磁界がほぼ閉じた伝送線路とすることができる。
【０１０３】
　なお、電源・接地配線ぺア２６は、信号配線ペア２１と等長、かつ、平行である必要はなく、自由な方向に形成することができる。
【０１０４】
　このように構成された本発明の第１参考例においては、送信デジタル信号ＴＳがＬレベルからＨレベルに遷移すると、ＣＭＯＳ差動レシーバ３４の正相入力端子をＬレベルからＨレベルに遷移させるための正の信号エネルギーがＣＭＯＳドライバ３１から信号配線２２に供給され、信号配線２２上をＣＭＯＳ差動レシーバ３４の正相入力端子に向かって伝送されると共に、ＣＭＯＳ差動レシーバ３４の逆相入力端子をＨレベルからＬレベルに遷移させるための負の信号エネルギーがＣＭＯＳインバータ３２から信号配線２３に供給され、信号配線２３上をＣＭＯＳ差動レシーバ３４の逆相入力端子に向かって伝送される。
【０１０５】
　これに対して、送信デジタル信号ＴＳがＨレベルからＬレベルに遷移すると、ＣＭＯＳ差動レシーバ３４の正相入力端子をＨレベルからＬレベルに遷移させるための負の信号エネルギーがＣＭＯＳドライバ３１から信号配線２２に供給され、信号配線２２上をＣＭＯＳ差動レシーバ３４の正相入力端子に向かって伝送されると共に、ＣＭＯＳ差動レシーバ３４の逆相入力端子をＬレベルからＨレベルに遷移させるための正の信号エネルギーがＣＭＯＳインバータ３２から信号配線２３に供給され、信号配線２３上をＣＭＯＳ差動レシーバ３４の逆相入力端子に向かって伝送される。
【０１０６】
　このように、本発明の第１参考例においては、送信デジタル信号ＴＳが遷移すると、相補信号エネルギーが信号配線２２、２３上をＣＭＯＳ差動ドライバ３０からＣＭＯＳ差動レシーバ３４に向かって伝送されるが、信号配線２２、２３は、カップリング係数を大とする等長平行配線からなるペア配線構造とされているので、信号配線２２、２３を電磁界がほぼ閉じた伝送線路とし、信号配線２２、２３上を伝送される相補信号エネルギーの損失を小さくしてＴＥＭ伝送に近いモードで伝送することができる。
【０１０７】
　また、電源配線２７及び接地配線２８も、カップリング係数を大とする等長平行配線からなるペア配線構造とされているので、電源・接地配線ペア２６を電磁界がほぼ閉じた伝送線路とし、たとえ、電源・接地配線ペア２６が長い場合であっても、相補送信デジタル信号ＣＳ、／ＣＳをＣＭＯＳ差動ドライバ３０からＣＭＯＳ差動レシーバ３４に伝送するに必要な電源電圧入力端子２４及び接地電圧入力端子２５からＣＭＯＳ差動ドライバ３０への相補信号エネルギーの伝送を相補信号エネルギーの損失を小さくしてＴＥＭ伝送に近いモードで行うことができる。
【０１０８】
　しかも、電源・接地配線ペア２６の特性インピーダンスは、信号配線ペア２１の特性インピーダンスと同一とされ、電源・接地配線ペア２６は、特性インピーダンス上、信号配線ペア２１と整合するように構成されているので、信号配線ペア２１で消費される相補信号エネルギーと、電源電圧入力端子２４及び接地電圧入力端子２５からＣＭＯＳ差動ドライバ３０に供給される相補信号エネルギーが整合し、その損失を小さくすることができる。
【０１０９】
　したがって、本発明の第１参考例によれば、相補送信デジタル信号ＣＳ、／ＣＳの波形の変形が実質的になくなり、ＣＭＯＳ差動ドライバ３０からＣＭＯＳ差動レシーバ３４への信号配線ペア２１を介しての相補送信デジタル信号ＣＳ、／ＣＳの光の速度に近い速度での伝送を行うことができる。
【０１１０】
　なお、ＩＣチップ２９内のＣＭＯＳ差動ドライバ３０に電源電圧及び接地電圧を供給する電源配線及び接地配線も等長平行配線からなるペア配線構造とすることが好適であり、このようにする場合には、ＣＭＯＳ差動ドライバ３０からＣＭＯＳ差動レシーバ３４への信号配線ペア２１を介しての相補送信デジタル信号ＣＳ、／ＣＳの伝送の更なる高速化を図ることができる。
【０１１１】
　また、本発明の第１参考例によれば、ＩＣチップ３３は、レシーバとして差動レシーバ３４を設けているが、差動レシーバ３４は、同相ノイズ及び信号配線２２、２３のどちらか一方に乗ったノイズに対しては動作せず、相補送信デジタル信号ＣＳ、／ＣＳのみに感知するので、伝送系をノイズマージンが大きい伝送系とすることができる。したがって、信号電圧を低く下げることができる。例えば、現行の回路で最も低い振幅は、０.８Ｖ〜１.５Ｖあたりであるが、０.１Ｖ程度まで下げることが可能である。これにより、立ち上がり及び立ち下がり勾配を低くでき、高周波信号の伝送を図ることができると共に、省電力を達成することができる。
【０１１２】
　（第２参考例・・図１５〜図１７）
　図１５は本発明の第２参考例の概念図であり、本発明の第２参考例は、２対の信号配線ペアを有し、これら２対の信号配線ペアに分岐が存在せず、かつ、１方向の信号伝送を行う伝送回路が構成されている場合を例にするものである。
【０１１３】
　図１５中、３６は配線基板、３７は配線基板３６に形成されたカップリング係数を大とする等長平行配線とされた信号配線３８、３９からなる信号配線ペア、４０は配線基板３６に形成されたカップリング係数を大とする等長平行配線とされた信号配線４１、４２からなる信号配線ペアである。なお、信号配線ペア３７、４０は、カップリング係数及び特性インピーダンスをそれぞれ同一とされ、等長、かつ、平行とされている。
【０１１４】
　また、４３は配線基板３６に形成された正の電源電圧ＶＤＤを入力するための電源電圧入力端子、４４は配線基板３６に形成された接地電圧ＶＳＳを入力するための接地電圧入力端子、４５は配線基板３６に形成されたカップリング係数を大とする等長平行配線とされた電源配線４６及び接地配線４７からなる電源・接地配線ペアである。
【０１１５】
　また、信号配線ペア３７、４０の特性インピーダンスをＺ０、電源・接地配線ペア４５の特性インピーダンスをＺ１とすると、Ｚ１＝Ｚ０／２（但し、２は信号配線ペアの数）とされている。なお、Ｚ１＝Ｚ０／２とできない場合には、可能な限りこれに近い値とすることが好適である。
【０１１６】
　また、４８は配線基板３６に搭載されたＩＣチップであり、ＩＣチップ４８は、その電源電圧入力端子４８Ａを電源配線４６に接続され、その接地電圧入力端子４８Ｂを接地配線４７に接続され、その信号出力端子４８Ｃ、４８Ｄ、４８Ｅ、４８Ｆをそれぞれ信号配線３８、３９、４１、４２の一端に接続されている。
【０１１７】
　また、ＩＣチップ４８において、４９は内部回路（図示せず）から与えられる送信デジタル信号ＴＳ１を相補送信デジタル信号ＣＳ１、／ＣＳ１に相補信号化し、これら相補送信デジタル信号ＣＳ１、／ＣＳ１を信号出力端子４８Ｃ、４８Ｄを介して信号配線３８、３９に出力するＣＭＯＳ差動ドライバであり、このＣＭＯＳ差動ドライバ４９は、図４８に示すＣＭＯＳ差動ドライバ３と同一構成とされている。
【０１１８】
　また、５０は内部回路から与えられる送信デジタル信号ＴＳ２を相補送信デジタル信号ＣＳ２、／ＣＳ２に相補信号化し、これら相補送信デジタル信号ＣＳ２、／ＣＳ２を信号出力端子４８Ｅ、４８Ｆを介して信号配線４１、４２に出力するＣＭＯＳ差動ドライバであり、このＣＭＯＳ差動ドライバ５０は、図４８に示すＣＭＯＳ差動ドライバ３と同一構成とされている。
【０１１９】
　また、５１は配線基板３６に搭載されたＩＣチップであり、ＩＣチップ５１は、その信号入力端子５１Ａ、５１Ｂ、５１Ｃ、５１Ｄをそれぞれ信号配線３８、３９、４１、４２の他端に接続されている。
【０１２０】
　また、ＩＣチップ５１において、５２は信号配線３８、３９を伝送されてくる相補送信デジタル信号ＣＳ１、／ＣＳ１を受信して送信デジタル信号ＴＳ１に対応する受信デジタル信号ＲＳ１を内部回路（図示せず）に対して出力するＣＭＯＳ差動レシーバであり、このＣＭＯＳ差動レシーバ５２は、図４８に示すＣＭＯＳ差動レシーバ４と同一構成とされている。
【０１２１】
　また、５３は信号配線４１、４２を伝送されてくる相補送信デジタル信号ＣＳ２、／ＣＳ２を受信して送信デジタル信号ＴＳ２に対応する受信デジタル信号ＲＳ２を内部回路に対して出力するＣＭＯＳ差動レシーバであり、このＣＭＯＳ差動レシーバ５３は、図４８に示すＣＭＯＳ差動レシーバ４と同一構成とされている。
【０１２２】
　なお、信号配線ペア３７、４０の特性インピーダンスは、２０〜１００［Ω］の間で自由に設定することができるが、ＣＭＯＳ差動レシーバ５２、５３のゲートがＣＭＯＳゲート（ＣＭＯＳドライバ及びＣＭＯＳインバータ）であるため、信号配線ペア３７、４０をそれぞれ伝送されてきた相補送信デジタル信号ＣＳ１、／ＣＳ１及び相補送信デジタル信号ＣＳ２、／ＣＳ２が反射し、反射された相補送信デジタル信号ＣＳ１、／ＣＳ１及び相補送信デジタル信号ＣＳ２、／ＣＳ２は、それぞれ、信号配線ペア３７、４０を逆走し、ＣＭＯＳ差動ドライバ４９、５０に達してしまう。
【０１２３】
　そこで、ＣＭＯＳ差動ドライバ４９、５０のオン抵抗をそれぞれ信号配線ペア３７、４０の特性インピーダンスに整合させ、信号配線ペア３７、４０をそれぞれ逆走してくる反射相補送信デジタル信号ＣＳ１、／ＣＳ１及び反射相補送信デジタル信号ＣＳ２、／ＣＳ２を吸収するように構成することが好適であり、このように構成する場合には、信号配線ペア３７、４０をそれぞれ逆走してくる反射相補送信デジタル信号ＣＳ１、／ＣＳ１及び反射相補送信デジタル信号ＣＳ２、／ＣＳ２がＣＭＯＳ差動ドライバ４９、５０側で再度反射することなく、順走相補送信デジタル信号ＣＳ１、／ＣＳ１及び順走相補送信デジタル信号ＣＳ２、／ＣＳ２をいかなるタイミングでも乱すことはなくなる。
【０１２４】
　図１６は信号配線ペア３７、４０及び電源・接地配線ペア４５の第１構成例を示す概略的断面図であり、この第１構成例では、これら信号配線ペア３７、４０及び電源・接地配線ペア４５がコプレーナ配線構造となるように、配線基板３６を構成する絶縁基板５４の同一面に、信号配線３８、３９、４１、４２と、電源配線４６と、接地配線４７とが平行に形成されており、信号配線ペア３７、４０及び電源・接地配線ペア４５の周辺には、ペア配線構造ではない、いわゆるベタの電源配線や接地配線は形成されていない。
【０１２５】
　ここに、信号配線３８と信号配線３９の幅方向の中心間距離及び信号配線４１と信号配線４２の幅方向の中心間距離をａ、電源配線４６と接地配線４７の幅方向の中心間距離をａ’、信号配線ペア３７と信号配線ペア４０との間隔をｂ、信号配線ペア３７と電源・接地配線ペア４５との間隔をｂ’とすると、ｂ＞２ａ、ｂ’＞２ａ’とする場合には、信号配線３８と信号配線３９との間のカップリング係数、信号配線４１と信号配線４２との間のカップリング係数、及び、電源配線４６と接地配線４７との間のカップリング係数を共に１に近くすることができ、信号配線ペア３７、４０及び電源・接地配線ペア４５を電磁界がほぼ閉じた伝送線路とすることができる。
【０１２６】
　図１７は信号配線ペア３７、４０及び電源・接地配線ペア４５の第２構成例を示す概略的断面図であり、この第２構成例では、これら信号配線ペア３７、４０及び電源・接地配線ペア４５がスタック配線構造となるように、絶縁基板５４を挟んで、信号配線３８と信号配線３９とが対向し、信号配線４１と信号配線４２とが対向し、電源配線４６と接地配線４７とが対向するように形成されており、信号配線ペア３７、４０及び電源・接地配線ペア４５の周辺には、ペア配線構造ではない、いわゆるベタの電源配線、接地配線は形成されていない。
【０１２７】
　ここに、絶縁基板５４の厚みをｔ、信号配線３８、３９、４１、４２の配線幅をｃ、電源配線４６及び接地配線４７の配線幅をｃ’、信号配線ペア３７と信号配線ペア３８との間隔をｓ、信号配線ペア３７と電源・接地配線ペア４５との間隔をｓ’とすると、ｓ／（ｔ＋ｃ）＞２、ｓ’／（ｔ＋ｃ’）＞２とする場合には、信号配線３８と信号配線３９との間のカップリング係数、信号配線４１と信号配線４２との間のカップリング係数、及び、電源配線４６と接地配線４７との間のカップリング係数をそれぞれ１に近くすることができ、信号配線ペア３７、４０及び電源・接地配線ペア４５を電磁界がほぼ閉じた伝送線路とすることができる。
【０１２８】
　なお、電源・接地配線ぺア４５は、信号配線ペア３７、４０と等長、かつ、平行である必要はなく、自由な方向に形成することができる。
【０１２９】
　このように構成された本発明の第２参考例においては、送信デジタル信号ＴＳ１がＬレベルからＨレベルに遷移すると、ＣＭＯＳ差動レシーバ５２の正相入力端子をＬレベルからＨレベルに遷移させるための正の信号エネルギーがＣＭＯＳ差動ドライバ４９の正相出力端子から信号配線３８に供給され、信号配線３８上をＣＭＯＳ差動レシーバ５２の正相入力端子に向かって伝送されると共に、ＣＭＯＳ差動レシーバ５２の逆相入力端子をＨレベルからＬレベルに遷移させるための負の信号エネルギーがＣＭＯＳ差動ドライバ４９の逆相出力端子から信号配線３９に供給され、信号配線３９上をＣＭＯＳ差動レシーバ５２の逆相入力端子に向かって伝送される。
【０１３０】
　また、送信デジタル信号ＴＳ２がＬレベルからＨレベルに遷移すると、ＣＭＯＳ差動レシーバ５３の正相入力端子をＬレベルからＨレベルに遷移させるための正の信号エネルギーがＣＭＯＳ差動ドライバ５０の正相出力端子から信号配線４１に供給され、信号配線４１上をＣＭＯＳ差動レシーバ５３の正相入力端子に向かって伝送されると共に、ＣＭＯＳ差動レシーバ５３の逆相入力端子をＨレベルからＬレベルに遷移させるための負の信号エネルギーがＣＭＯＳ差動ドライバ５０の逆相出力端子から信号配線４２に供給され、信号配線４２上をＣＭＯＳ差動レシーバ５３の逆相入力端子に向かって伝送される。
【０１３１】
　これに対して、送信デジタル信号ＴＳ１がＨレベルからＬレベルに遷移すると、ＣＭＯＳ差動レシーバ５２の正相入力端子をＨレベルからＬレベルに遷移させるための負の信号エネルギーがＣＭＯＳ差動ドライバ４９の正相出力端子から信号配線３８に供給され、信号配線３８上をＣＭＯＳ差動レシーバ５２の正相入力端子に向かって伝送されると共に、ＣＭＯＳ差動レシーバ５２の逆相入力端子をＬレベルからＨレベルに遷移させるための正の信号エネルギーがＣＭＯＳ差動ドライバ４９の逆相出力端子から信号配線３９に供給され、信号配線３９上をＣＭＯＳ差動レシーバ５２の逆相入力端子に向かって伝送される。
【０１３２】
　また、送信デジタル信号ＴＳ２がＨレベルからＬレベルに遷移すると、ＣＭＯＳ差動レシーバ５３の正相入力端子をＨレベルからＬレベルに遷移させるための負の信号エネルギーがＣＭＯＳ差動ドライバ５０の正相出力端子から信号配線４１に供給され、信号配線４１上をＣＭＯＳ差動レシーバ５３の正相入力端子に向かって伝送されると共に、ＣＭＯＳ差動レシーバ５３の逆相入力端子をＬレベルからＨレベルに遷移させるための正の信号エネルギーがＣＭＯＳ差動ドライバ５０の逆相出力端子から信号配線４２に供給され、信号配線４２上をＣＭＯＳ差動レシーバ５３の逆相入力端子に向かって伝送される。
【０１３３】
　このように、本発明の第２参考例においては、送信デジタル信号ＴＳ１、ＴＳ２が遷移すると、相補信号エネルギーが信号配線３８、３９及び信号配線４１、４２上をＣＭＯＳ差動レシーバ５２及びＣＭＯＳ差動レシーバ５３に向かって伝送されるが、信号配線３８、３９及び信号配線４１、４２はカップリング係数を大とする等長平行配線からなるペア配線構造とされているので、信号配線３８、３９及び信号配線４１、４２を電磁界がほぼ閉じた伝送線路とし、信号配線３８、３９及び信号配線４１、４２上を伝送される相補信号エネルギーの損失を小さくしてＴＥＭ伝送に近いモードで伝送することができる。
【０１３４】
　また、電源配線４６及び接地配線４７も、カップリング係数を大とする等長平行配線からなるペア配線構造とされているので、電源・接地配線ペア４５を電磁界がほぼ閉じた伝送線路とし、たとえ、電源・接地配線ペア４５が長い場合であっても、相補送信デジタル信号ＣＳ１、／ＣＳ１及び相補送信デジタル信号ＣＳ２、／ＣＳ２をＣＭＯＳ差動レシーバ５２及びＣＭＯＳ差動レシーバ５３に伝送するに必要な電源電圧入力端子４３及び接地電圧入力端子４４からＣＭＯＳ差動ドライバ４９及びＣＭＯＳ差動ドライバ５０への相補信号エネルギーの伝送をＴＥＭ伝送に近いモードで行うことができる。
【０１３５】
　しかも、本発明の第２参考例においては、信号配線ペア３７、４０の特性インピーダンスをＺ０、電源・接地配線ペア４５の特性インピーダンスをＺ１とすると、Ｚ１＝Ｚ０／２とされ、電源・接地配線ペア４５は、特性インピーダンス上、信号配線ペア３７、４０と整合するように構成されているので、信号配線ペア３７、４０で消費される相補信号エネルギーと、電源電圧入力端子４３及び接地電圧入力端子４４から電源・接地配線ペア４５を介してＣＭＯＳ差動ドライバ４９、５０に供給される相補信号エネルギーが整合し、その損失を小さくすることができる。
【０１３６】
　したがって、本発明の第２参考例によれば、相補送信デジタル信号ＣＳ１、／ＣＳ１及び相補送信デジタル信号ＣＳ２、／ＣＳ２の波形変形が実質的になくなり、ＣＭＯＳ差動ドライバ４９及びＣＭＯＳ差動ドライバ５０からそれぞれＣＭＯＳ差動レシーバ５２及びＣＭＯＳ差動レシーバ５３への信号配線ペア３７及び信号配線ペア４０を介しての相補送信デジタル信号ＣＳ１、／ＣＳ１及び相補送信デジタル信号ＣＳ２、／ＣＳ２の光の速度に近い速度での伝送を行うことができる。
【０１３７】
　なお、ＩＣチップ４８内のＣＭＯＳ差動ドライバ４９、５０に電源電圧及び接地電圧を供給する電源配線及び接地配線も等長平行配線からなるペア配線構造とすることが好適であり、このように構成する場合には、ＣＭＯＳ差動ドライバ４９、５０からＣＭＯＳ差動レシーバ５２、５３への信号配線ペア３７、４０を介しての相補送信デジタル信号ＣＳ１、／ＣＳ１及び相補送信デジタル信号ＣＳ２、／ＣＳ２の伝送の更なる高速化を図ることができる。
【０１３８】
　また、本発明の第２参考例によれば、ＩＣチップ５１は、レシーバとして差動レシーバ５２、５３を設けているが、差動レシーバ５２は、同相ノイズ及び信号配線３８、３９のどちらか一方に乗ったノイズに対しては動作せず、相補送信デジタル信号ＣＳ１、／ＣＳ１のみに感知し、差動レシーバ５３は、同相ノイズ及び信号配線４１、４２のどちらか一方に乗ったノイズに対しては動作せず、相補送信デジタル信号ＣＳ２、／ＣＳ２のみに感知するので、伝送系をノイズマージンが大きい伝送系とすることができる。したがって、信号電圧を低く下げることができる。例えば、現行の回路で最も低い振幅は、０.８Ｖ〜１.５Ｖあたりであるが、０.１Ｖ程度まで下げることが可能である。これにより、立ち上がり及び立ち下がり勾配を低くでき、高周波信号の伝送を図ることができると共に、省電力を達成することができる。
【０１３９】
　（第３参考例・・図１８）
　図１８は本発明の第３参考例の概念図であり、本発明の第３参考例は、１対の信号配線ペアを有し、この１対の信号配線ペアに分岐が存在し、かつ、１方向の信号伝送を行う伝送回路が構成されている場合を例にするものである。
【０１４０】
　図１８中、５５は配線基板、５６は配線基板５５に形成されたカップリング係数を大とする等長平行配線とされた信号配線５７、５８からなる信号配線ペア、５９は信号配線５７、５８を終端する終端抵抗である。
【０１４１】
　また、６０は配線基板５５に形成された正の電源電圧ＶＤＤを入力するための電源電圧入力端子、６１は配線基板５５に形成された接地電圧ＶＳＳを入力するための接地電圧入力端子である。
【０１４２】
　また、６２は配線基板５５に形成されたカップリング係数を大とする等長平行配線とされた電源配線６３及び接地配線６４からなる電源・接地配線ペアであり、電源・接地配線ペア６２の特性インピーダンスは、信号配線ペア５６の特性インピーダンスと同一とされている。
【０１４３】
　なお、信号配線ペア５６及び電源・接地配線ペア６２は、図１３に示す場合と同様にコプレーナ配線構造としても良いし、図１４に示す場合と同様にスタック配線構造としても良い。
【０１４４】
　また、６５は配線基板５５に搭載されたＩＣチップであり、ＩＣチップ６５は、その電源電圧入力端子６５Ａを電源配線６３に接続され、その接地電圧入力端子６５Ｂを接地配線６４に接続され、その信号出力端子６５Ｃ、６５Ｄをそれぞれ信号配線５７、５８の一端に接続されている。
【０１４５】
　また、ＩＣチップ６５において、６６は内部回路（図示せず）から与えられる送信デジタル信号ＴＳを相補送信デジタル信号ＣＳ、／ＣＳに相補信号化し、これら相補送信デジタル信号ＣＳ、／ＣＳを信号出力端子６５Ｃ、６５Ｄを介して信号配線５７、５８に出力するＣＭＯＳ差動ドライバであり、このＣＭＯＳ差動ドライバ６６は、図４８に示すＣＭＯＳ差動ドライバ３と同一構成とされている。
【０１４６】
　また、６７−１、６７−ｍは配線基板５５に搭載された同種又は異種のＩＣチップであり、これらＩＣチップ６７−１、６７−ｍは、その信号入力端子６７−１Ａ、６７−ｍＡを信号配線５７に接続され、その信号入力端子６７−１Ｂ、６７−ｍＢを信号配線５８に接続されている。
【０１４７】
　また、ＩＣチップ６７−１、６７−ｍにおいて、６８−１、６８−ｍは信号配線５７、５８を伝送されてくる相補送信デジタル信号ＣＳ、／ＣＳを受信する差動レシーバをなすオペアンプである。
【０１４８】
　なお、オペアンプ６８−１は、その正相入力端子を信号入力端子６７−１Ａに接続され、その逆相入力端子を信号入力端子６７−１Ｂに接続され、オペアンプ６８−ｍは、その正相入力端子を信号入力端子６７−ｍＡに接続され、その逆相入力端子を信号入力端子６７−ｍＢに接続されている。
【０１４９】
　このように構成された本発明の第３参考例においては、送信デジタル信号ＴＳがＬレベルからＨレベルに遷移すると、オペアンプ６８−１、６８−ｍの正相入力端子をＬレベルからＨレベルに遷移させるための正の信号エネルギーがＣＭＯＳ差動ドライバ６６の正相出力端子から信号配線５７に供給され、信号配線５７上をオペアンプ６８−１、６８−ｍの正相入力端子に向かって伝送されると共に、オペアンプ６８−１、６８−ｍの逆相入力端子をＨレベルからＬレベルに遷移させるための負の信号エネルギーがＣＭＯＳ差動ドライバ６６の逆相出力端子から信号配線５８に供給され、信号配線５８上をオペアンプ６８−１、６８−ｍの逆相入力端子に向かって伝送される。
【０１５０】
　これに対して、送信デジタル信号ＴＳがＨレベルからＬレベルに遷移すると、オペアンプ６８−１、６８−ｍの正相入力端子をＨレベルからＬレベルに遷移させるための負の信号エネルギーがＣＭＯＳ差動ドライバ６６の正相出力端子から信号配線５７に供給され、信号配線５７上をオペアンプ６８−１、６８−ｍの正相入力端子に向かって伝送されると共に、オペアンプ６８−１、６８−ｍの逆相入力端子をＬレベルからＨレベルに遷移させるための正の信号エネルギーがＣＭＯＳ差動ドライバ６６の逆相出力端子から信号配線５８に供給され、信号配線５８上をオペアンプ６８−１、６８−ｍの逆相入力端子に向かって伝送される。
【０１５１】
　なお、オペアンプ６８−１、６８−ｍの入力インピーダンスは、通常、信号配線ペア５６の特性インピーダンス（２０〜１００Ω）の１０００倍以上のハイインピーダンスとなっているので、信号配線ペア５６を伝送されてくる相補信号エネルギーはオペアンプ６８−１、６８−ｍでは殆ど吸収されず、そのままのエネルギー状態で終端抵抗５９に到達し、ここで全エネルギーが熱となって消費される。したがって、相補信号エネルギーの反射は起こらないため、常に正しい相補送信デジタル信号ＣＳ、／ＣＳがオペアンプ６８−１、６８−ｍを通過することになる。
【０１５２】
　このように、本発明の第３参考例においては、送信デジタル信号ＴＳが遷移すると、相補信号エネルギーが信号配線５７、５８上をオペアンプ６８−１、６８−ｍに向かって伝送されるが、信号配線５７、５８は、カップリング係数を大とする等長平行配線からなるペア配線構造とされているので、信号配線５７、５８を電磁界がほぼ閉じた伝送線路とし、信号配線５７、５８上を伝送される相補信号エネルギーの損失を小さくしてＴＥＭ伝送に近いモードで伝送することができる。
【０１５３】
　また、電源配線６３及び接地配線６４も、カップリング係数を大とする等長平行配線からなるペア配線構造とされているので、電源・接地配線ペア６２を電磁界がほぼ閉じた伝送線路とし、たとえ、電源・接地配線ペア６２が長い場合であっても、相補送信デジタル信号ＣＳ、／ＣＳをオペアンプ６８−１、６８−ｍに伝送するに必要な電源電圧入力端子６０及び接地電圧入力端子６１からＣＭＯＳ差動ドライバ６６への相補信号エネルギーの伝送をＴＥＭ伝送に近いモードで行うことができる。
【０１５４】
　しかも、電源・接地配線ペア６２の特性インピーダンスは、信号配線ペア５６の特性インピーダンスと同一とされ、電源・接地配線ペア６２は、特性インピーダンス上、信号配線ペア５６と整合するように構成されているので、この点からも、電源電圧入力端子６０及び接地電圧入力端子６１から電源・接地配線ペア６２を介してＣＭＯＳ差動ドライバ６６に供給される相補信号エネルギーの損失を小さくすることができる。
【０１５５】
　したがって、本発明の第３参考例によれば、相補送信デジタル信号ＣＳ、／ＣＳの波形の変形が実質的になくなり、ＣＭＯＳ差動ドライバ６６からオペアンプ６８−１、６８−ｍへの信号配線ペア５６を介しての相補送信デジタル信号ＣＳ、／ＣＳの光の速度に近い速度での伝送を行うことができる。
【０１５６】
　なお、ＩＣチップ６５内のＣＭＯＳ差動ドライバ６６に電源電圧及び接地電圧を供給する電源配線及び接地配線も平行配線からなるペア配線構造とすることが好適であり、このように構成する場合には、ＣＭＯＳ差動ドライバ６６からオペアンプ６８−１、６８−ｍへの信号配線ペア５６を介しての相補送信デジタル信号ＣＳ、／ＣＳの伝送の更なる高速化を図ることができる。
【０１５７】
　また、本発明の第３参考例によれば、ＩＣチップ６７−１、６７−ｍは、差動レシーバとしてオペアンプ６８−１、６８−ｍを設けているが、オペアンプ６８−１、６８−ｍは、同相ノイズ及び信号配線５７、５８のどちらか一方に乗ったノイズに対しては動作せず、相補送信デジタル信号ＣＳ、／ＣＳのみに感知するので、伝送系をノイズマージンが大きい伝送系とすることができる。したがって、信号電圧を低く下げることができる。例えば、現行の回路で最も低い振幅は、０.８Ｖ〜１.５Ｖあたりであるが、０.１Ｖ程度まで下げることが可能である。これにより、立ち上がり及び立ち下がり勾配を低くでき、高周波信号の伝送を図ることができると共に、省電力を達成することができる。
【０１５８】
　（第４参考例・・図１９〜図２１）
　図１９は本発明の第４参考例の概念図であり、本発明の第４参考例は、２対の信号配線ペアを有し、これら２対の信号配線ペアに分岐が存在し、かつ、１方向の信号伝送を行う伝送回路が構成されている場合を例にするものである。
【０１５９】
　図１９中、７０は配線基板、７１は配線基板７０に形成されたカップリング係数を大とする等長平行配線とされた信号配線７２、７３からなる信号配線ペア、７５は配線基板７０に形成されたカップリング係数を大とする等長平行配線とされた信号配線７６、７７からなる信号配線ペアである。なお、信号配線ペア７１、７５は、カップリング係数及び特性インピーダンスをそれぞれ同一とされ、等長、かつ、平行とされている。
【０１６０】
　また、７９は配線基板７０に形成された正の電源電圧ＶＤＤを入力するための電源電圧入力端子、８０は配線基板７０に形成された接地電圧ＶＳＳを入力するための接地電圧入力端子、８１は配線基板７０に形成されたカップリング係数を大とする等長平行配線とされた電源配線８２及び接地配線８３からなる電源・接地配線ペアである。
【０１６１】
　また、信号配線ペア７１、７５の特性インピーダンスをＺ０、電源・接地配線ペア８１の特性インピーダンスをＺ１とすると、Ｚ１＝Ｚ０／２（但し、２は信号配線ペアの数）とされている。なお、Ｚ１＝Ｚ０／２とできない場合には、可能な限りこれに近い値とすることが好適である。
【０１６２】
　また、信号配線ペア７１、７５及び電源・接地配線ペア８１は、図１６に示す場合と同様にコプレーナ配線構造としても良いし、図１７に示す場合と同様にスタック配線構造としても良い。
【０１６３】
　また、８４は配線基板７０に搭載されたＩＣチップであり、ＩＣチップ８４は、その電源電圧入力端子８４Ａを電源配線８２に接続され、その接地電圧入力端子８４Ｂを接地配線８３に接続され、その信号出力端子８４Ｃ、８４Ｄ、８４Ｅ、８４Ｆをそれぞれ信号配線７２、７３、７６、７７に接続されている。
【０１６４】
　また、ＩＣチップ８４において、８５は内部回路（図示せず）から与えられる送信デジタル信号ＴＳ１を相補送信デジタル信号ＣＳ１、／ＣＳ１に相補信号化し、これら相補送信デジタル信号ＣＳ１、／ＣＳ１を信号出力端子８４Ｃ、８４Ｄを介して信号配線７２、７３に出力するＣＭＯＳ差動ドライバであり、このＣＭＯＳ差動ドライバ８５は、図４８に示すＣＭＯＳ差動ドライバ３と同一構成とされている。
【０１６５】
　また、８６は内部回路から与えられる送信デジタル信号ＴＳ２を相補送信デジタル信号ＣＳ２、／ＣＳ２に相補信号化し、これら相補送信デジタル信号ＣＳ２、／ＣＳ２を信号出力端子８４Ｅ、８４Ｆを介して信号配線７６、７７に出力するＣＭＯＳ差動ドライバであり、このＣＭＯＳ差動ドライバ８６は、図４８に示すＣＭＯＳ差動ドライバ３と同一構成とされている。
【０１６６】
　また、８７−１、８７−ｍは配線基板７０に搭載された同種又は異種のＩＣチップであり、これらＩＣチップ８７−１、８７−ｍは、その信号入力端子８７−１Ａ、８７−ｍＡを信号配線７２に接続され、その信号入力端子８７−１Ｂ、８７−ｍＢを信号配線７３に接続され、その信号入力端子８７−１Ｃ、８７−ｍＣを信号配線７６に接続され、その信号入力端子８７−１Ｄ、８７−ｍＤを信号配線７７に接続されている。
【０１６７】
　また、ＩＣチップ８７−１、８７−ｍにおいて、８８−１、８８−ｍは信号配線７２、７３を伝送されてくる相補送信デジタル信号ＣＳ１、／ＣＳ１を受信する差動レシーバをなすオペアンプ、８９−１、８９−ｍは信号配線７６、７７を伝送されてくる相補送信デジタル信号ＣＳ２、／ＣＳ２を受信する差動レシーバをなすオペアンプである。
【０１６８】
　なお、オペアンプ８８−１は、その正相入力端子を信号入力端子８７−１Ａに接続され、その逆相入力端子を信号入力端子８７−１Ｂに接続されており、オペアンプ８８−ｍは、その正相入力端子を信号入力端子８７−ｍＡに接続され、その逆相入力端子を信号入力端子８７−ｍＢに接続されている。
【０１６９】
　図２０は信号配線ペア７１、７５を図１６に示すと同様にコプレーナ配線構造とした場合のＩＣチップ搭載領域の構成例を示す概略的平面図であり、図２０中、９１−１Ａ、９１−１Ｂ、９１−１Ｃ、９１−１ＤはそれぞれＩＣチップ８７−１の信号入力端子８７−１Ａ、８７−１Ｂ、８７−１Ｃ、８７−１Ｄを接続すべきパッド、９１−ｍＡ、９１−ｍＢ、９１−ｍＣ、９１−ｍＤはそれぞれＩＣチップ８７−ｍの信号入力端子８７−ｍＡ、８７−ｍＢ、８７−ｍＣ、８７−ｍＤを接続すべきパッドである。
【０１７０】
　図２１は信号配線ペア７１、７５を図１７に示すと同様にスタック配線構造とした場合のＩＣチップ搭載領域の一部分の構成例を示す概略的斜視図であり、配線基板７０を構成する絶縁基板は、図示を省略している。
【０１７１】
　図２１中、９３は信号配線７３から導出されている導電層、９４は配線基板７０（図示せず）の導電層９３の形成領域に設けられたコンタクトホールに形成された導電層、９５は絶縁基板の表面に形成され、導電層９４に接続された導電層であり、この例では、導電層９５がＩＣチップ８７−１の信号入力端子８７−１Ａを接続すべきパッド、信号配線７２の導電層９５に隣接する部分９６がＩＣチップ８７−１の信号入力端子８７−１Ｂを接続すべきパッドとされる。
【０１７２】
　このように構成された本発明の第４参考例においては、送信デジタル信号ＴＳ１がＬレベルからＨレベルに遷移すると、オペアンプ８８−１、８８−ｍの正相入力端子をＬレベルからＨレベルに遷移させるための正の信号エネルギーがＣＭＯＳ差動ドライバ８５の正相出力端子から信号配線７２に供給され、信号配線７２上をオペアンプ８８−１、８８−ｍの正相入力端子に向かって伝送されると共に、オペアンプ８８−１、８８−ｍの逆相入力端子をＨレベルからＬレベルに遷移させるための負の信号エネルギーがＣＭＯＳ差動ドライバ８５の逆相出力端子から信号配線７３に供給され、信号配線７３上をオペアンプ８８−１、８８−ｍの逆相入力端子に向かって伝送される。
【０１７３】
　また、送信デジタル信号ＴＳ２がＬレベルからＨレベルに遷移すると、オペアンプ８９−１、８９−ｍの正相入力端子をＬレベルからＨレベルに遷移させるための正の信号エネルギーがＣＭＯＳ差動ドライバ８６の正相出力端子から信号配線７６に供給され、信号配線７６上をオペアンプ８９−１、８９−ｍの正相入力端子に向かって伝送されると共に、オペアンプ８９−１、８９−ｍの逆相入力端子をＨレベルからＬレベルに遷移させるための負の信号エネルギーがＣＭＯＳ差動ドライバ８６の逆相出力端子から信号配線７７に供給され、信号配線７７上をオペアンプ８９−１、８９−ｍの逆相入力端子に向かって伝送される。
【０１７４】
　これに対して、送信デジタル信号ＴＳ１がＨレベルからＬレベルに遷移すると、オペアンプ８８−１、８８−ｍの正相入力端子をＨレベルからＬレベルに遷移させるための負の信号エネルギーがＣＭＯＳ差動ドライバ８５の正相出力端子から信号配線７２に供給され、信号配線７２上をオペアンプ８８−１、８８−ｍの正相入力端子に向かって伝送されると共に、オペアンプ８８−１、８８−ｍの逆相入力端子をＬレベルからＨレベルに遷移させるための正の信号エネルギーがＣＭＯＳ差動ドライバ８５の逆相出力端子から信号配線７３に供給され、信号配線７３上をオペアンプ８８−１、８８−ｍの逆相入力端子に向かって伝送される。
【０１７５】
　また、送信デジタル信号ＴＳ２がＨレベルからＬレベルに遷移すると、オペアンプ８９−１、８９−ｍの正相入力端子をＨレベルからＬレベルに遷移させるための負の信号エネルギーがＣＭＯＳ差動ドライバ８６の正相出力端子から信号配線７６に供給され、信号配線７６上をオペアンプ８９−１、８９−ｍの正相入力端子に向かって伝送されると共に、オペアンプ８９−１、８９−ｍの逆相入力端子をＬレベルからＨレベルに遷移させるための正の信号エネルギーがＣＭＯＳ差動ドライバ８６の逆相出力端子から信号配線７７に供給され、信号配線７７上をオペアンプ８９−１、８９−ｍの逆相入力端子に向かって伝送される。
【０１７６】
　なお、オペアンプ８８−１、８８−ｍ、８９−１、８９−ｍの入力インピーダンスは、通常、信号配線ペア７１、７５の特性インピーダンス（２０〜１００Ω）の１０００倍以上のハイインピーダンスとなっているので、信号配線ペア７１、７５を伝送されてくる相補信号エネルギーはオペアンプ８８−１、８８−ｍ、８９−１、８９−ｍでは殆ど吸収されず、そのままのエネルギー状態で終端抵抗７４、７８に到達し、ここで全エネルギーが熱となって消費される。したがって、相補信号エネルギーの反射は起こらないため、常に正しい相補送信デジタル信号ＣＳ１、／ＣＳ１及び相補送信デジタル信号ＣＳ２、／ＣＳ２がそれぞれオペアンプ８８−１、８８−ｍ及びオペアンプ８９−１、８９−ｍを通過することになる。
【０１７７】
　このように、本発明の第４参考例においては、送信デジタル信号ＴＳ１、ＴＳ２が遷移すると、相補信号エネルギーが信号配線７２、７３及び信号配線７６、７７上をオペアンプ８８−１、８８−ｍ及びオペアンプ８９−１、８９−ｍに向かって伝送されるが、信号配線７２、７３及び信号配線７６、７７は、カップリング係数を大とする等長平行配線からなるペア配線構造とされているので、信号配線７２、７３及び信号配線７６、７７を電磁界がほぼ閉じた伝送線路とし、信号配線７２、７３及び信号配線７６、７７上を伝送される相補信号エネルギーの損失を小さくしてＴＥＭ伝送に近いモードで伝送することができる。
【０１７８】
　また、電源配線８２及び接地配線８３も、カップリング係数を大とする等長平行配線からなるペア配線構造とされているので、電源・接地配線ペア８１を電磁界がほぼ閉じた伝送線路とし、たとえ、電源・接地配線ペア８１が長い場合であっても、相補送信デジタル信号ＣＳ１、／ＣＳ１及び相補送信デジタル信号ＣＳ２、／ＣＳ２をオペアンプ８８−１、８８−ｍ及びオペアンプ８９−１、８９−１ｍに伝送するに必要な電源電圧入力端子７９及び接地電圧入力端子８０からＣＭＯＳ差動ドライバ８５、８６への電源・接地配線ペア８１を介しての相補信号エネルギーの伝送をＴＥＭ伝送に近いモードで行うことができる。
【０１７９】
　しかも、本発明の第４参考例においては、信号配線ペア７１、７５の特性インピーダンスをＺ０、電源・接地配線ペア８１の特性インピーダンスをＺ１とすると、Ｚ１＝Ｚ０／２とされ、電源・接地配線ペア８１は、特性インピーダンス上、信号配線ペア７１、７５と整合するように構成されているので、信号配線ペア７１、７５で消費される相補信号エネルギーと、電源電圧入力端子７９及び接地電圧入力端子８０からＣＭＯＳ差動ドライバ８５、８６に供給される相補信号エネルギーが整合し、その損失を小さくすることができる。
【０１８０】
　したがって、本発明の第４参考例によれば、相補送信デジタル信号ＣＳ１、／ＣＳ１及び相補送信デジタル信号ＣＳ２、／ＣＳ２の波形の変形が実質的になくなり、ＣＭＯＳ差動ドライバ８５及びＣＭＯＳ差動ドライバ８６からそれぞれオペアンプ８８−１、８８−ｍ及びオペアンプ８９−１、８９−ｍへの信号配線ペア７１及び信号配線ペア７５を介しての相補送信デジタル信号ＣＳ１、／ＣＳ１及び相補送信デジタル信号ＣＳ２、／ＣＳ２の光の速度に近い速度での伝送を行うことができる。
【０１８１】
　なお、ＩＣチップ８４内のＣＭＯＳ差動ドライバ８５、８６に電源電圧及び接地電圧を供給する電源配線及び接地配線も等長平行配線からなるペア配線構造とすることが好適であり、このように構成する場合には、ＣＭＯＳ差動ドライバ８５及びＣＭＯＳ差動ドライバ８６からオペアンプ８８−１、８８−ｍ及びオペアンプ８９−１、８９−ｍへの信号配線ペア７１及び信号配線ペア７５を介しての相補送信デジタル信号ＣＳ１、／ＣＳ１及び相補送信デジタル信号ＣＳ２、／ＣＳ２の伝送の更なる高速化を図ることができる。
【０１８２】
　また、本発明の第４参考例によれば、ＩＣチップ８７−１、８７−ｍは、差動レシーバとしてオペアンプ８８−１、８９−１、８８−ｍ、８９−ｍを設けているが、オペアンプ８８−１、８８−ｍは、同相ノイズ及び信号配線７２、７３のどちらか一方に乗ったノイズに対しては動作せず、相補送信デジタル信号ＣＳ１、／ＣＳ１のみに感知し、オペアンプ８９−１、８９−ｍは、同相ノイズ及び信号配線７６、７７のどちらか一方に乗ったノイズに対しては動作せず、相補送信デジタル信号ＣＳ２、／ＣＳ２のみに感知するので、伝送系をノイズマージンが大きい伝送系とすることができる。したがって、信号電圧を低く下げることができる。例えば、現行の回路で最も低い振幅は、０.８Ｖ〜１.５Ｖあたりであるが、０.１Ｖ程度まで下げることが可能である。これにより、立ち上がり及び立ち下がり勾配を低くでき、高周波信号の伝送を図ることができると共に、省電力を達成することができる。
【０１８３】
　（第５参考例・・図２２〜図２４）
　図２２は本発明の第５参考例の概念図であり、本発明の第５参考例は、１対の信号配線ペアを有し、この１対の信号配線ペアに分岐が存在し、かつ、双方向の信号伝送を行う伝送回路が構成されている場合を例にするものである。
【０１８４】
　図２２中、９８は配線基板、９９は配線基板９８に形成されたカップリング係数を大とする等長平行配線とされた信号配線１００、１０１からなる信号配線ペア、１０２は信号配線１００、１０１を終端する終端抵抗である。
【０１８５】
　また、１０３は配線基板９８に形成された正の電源電圧ＶＤＤを入力するための電源電圧入力端子、１０４は配線基板９８に形成された接地電圧ＶＳＳを入力するための接地電圧入力端子である。
【０１８６】
　また、１０５は配線基板９８に形成されたカップリング係数を大とする等長平行配線とされた電源配線１０６及び接地配線１０７からなる電源・接地配線ペアであり、電源・接地配線ペア１０５の特性インピーダンスは、信号配線ペア９９の特性インピーダンスと同一とされている。
【０１８７】
　なお、信号配線ペア９９及び電源・接地配線ペア１０５は、図１３に示すと同様にコプレーナ配線構造としても良いし、図１４に示すと同様にスタック配線構造としても良い。
【０１８８】
　また、１０８は配線基板９８に搭載されたＩＣチップであり、このＩＣチップ１０８は、その電源電圧入力端子１０８Ａを電源配線１０６に接続され、その接地電圧入力端子１０８Ｂを接地配線１０７に接続され、その信号入出力端子１０８Ｃ、１０８Ｄをそれぞれ信号配線１００、１０１に接続されている。
【０１８９】
　また、ＩＣチップ１０８において、１０９は内部回路（図示せず）から与えられる送信デジタル信号ＴＳを相補送信デジタル信号ＣＳ、／ＣＳに相補信号化し、これら相補送信デジタル信号ＣＳ、／ＣＳを信号入出力端子１０８Ｃ、１０８Ｄを介して信号配線１００、１０１に出力するスリーステイトＣＭＯＳ差動ドライバである。
【０１９０】
　図２３はスリーステイトＣＭＯＳ差動ドライバ１０９の構成を示す回路図である。図２３中、１１１は図４８に示すＣＭＯＳドライバ５と同一構成のＣＭＯＳドライバ、１１２は図４８に示すＣＭＯＳインバータ８と同一構成のＣＭＯＳインバータである。
【０１９１】
　また、１１３、１１４はドライバ・イネーブル信号ＤＥによりＯＮ、ＯＦＦが制御されるｎＭＯＳトランジスタであり、ドライバ・イネーブル信号ＤＥは、スリーステイトＣＭＯＳ差動ドライバ１０９を活性状態とする場合にはＨレベル、スリーステイトＣＭＯＳ差動ドライバ１０９を非活性状態とする場合にはＬレベルとされる。
【０１９２】
　また、図２２において、１１６は差動レシーバをなすオペアンプ、１１７は信号配線１００、１０１に接続されたＩＣチップ１０８内の信号配線を終端する終端抵抗部であり、オペアンプ１１６の正相入力端子及び終端抵抗部１１７の一端１１７Ａは、信号入出力端子１０８Ｃに接続され、オペアンプ１１６の逆相入力端子及び終端抵抗部１１７の他端１１７Ｂは、信号入出力端子１０８Ｄに接続されている。
【０１９３】
　図２４は終端抵抗部１１７の構成を示す回路図である。図２４中、１１９は反転ドライバ・イネーブル信号／ＤＥによりＯＮ、ＯＦＦが制御されるｎＭＯＳトランジスタ、１２０は終端抵抗である。
【０１９４】
　また、図２２において、１２２−１、１２２−ｍは配線基板９８に搭載された同種又は異種のＩＣチップであり、これらＩＣチップ１２２−１、１２２−ｍは、その信号入出力端子１２２−１Ａ、１２２−ｍＡを信号配線１００に接続され、その信号入出力端子１２２−１Ｂ、１２２−ｍＢを信号配線１０１に接続されている。
【０１９５】
　また、ＩＣチップ１２２−１において、１２３−１は差動レシーバをなすオペアンプであり、その正相入力端子を信号入出力端子１２２−１Ａに接続され、その逆相入力端子を信号入出力端子１２２−１Ｂに接続されている。
【０１９６】
　また、１２４−１はスリーステイトＣＭＯＳ差動ドライバ１０９と同様に構成されたスリーステイトＣＭＯＳ差動ドライバであり、その正相出力端子を信号入出力端子１２２−１Ａに接続され、その逆相出力端子を信号入出力端子１２２−１Ｂに接続されている。
【０１９７】
　また、ＩＣチップ１２２−ｍにおいて、１２３−ｍは差動レシーバをなすオペアンプであり、その正相入力端子を信号入出力端子１２２−ｍＡに接続され、その逆相入力端子を信号入出力端子１２２−ｍＢに接続されている。
【０１９８】
　また、１２４−ｍはスリーステイトＣＭＯＳ差動ドライバ１０９と同様に構成されたスリーステイトＣＭＯＳ差動ドライバであり、その正相出力端子を信号入出力端子１２２−ｍＡに接続され、その逆相出力端子を信号入出力端子１２２−ｍＢに接続されている。
【０１９９】
　このように構成された本発明の第５参考例においては、ＩＣチップ１０８から発信されるライトイネーブル信号ＷＥが活性状態の下で、送信デジタル信号ＴＳがＬレベルからＨレベルに遷移すると、オペアンプ１２３−１、１２３−ｍの正相入力端子をＬレベルからＨレベルに遷移させるための正の信号エネルギーがスリーステイトＣＭＯＳ差動ドライバ１０９の正相出力端子から信号配線１００に供給され、信号配線１００上をオペアンプ１２３−１、１２３−ｍの正相入力端子に向かって伝送されると共に、オペアンプ１２３−１、１２３−ｍの逆相入力端子をＨレベルからＬレベルに遷移させるための負の信号エネルギーがスリーステイトＣＭＯＳ差動ドライバ１０９の逆相出力端子から信号配線１０１に供給され、信号配線１０１上をオペアンプ１２３−１、１２３−ｍの逆相入力端子に向かって伝送される。
【０２００】
　これに対して、送信デジタル信号ＴＳがＨレベルからＬレベルに遷移すると、オペアンプ１２３−１、１２３−ｍの正相入力端子をＨレベルからＬレベルに遷移させるための負の信号エネルギーがスリーステイトＣＭＯＳ差動ドライバ１０９の正相出力端子から信号配線１００に供給され、信号配線１００上をオペアンプ１２３−１、１２３−ｍの正相入力端子に向かって伝送されると共に、オペアンプ１２３−１、１２３−ｍの逆相入力端子をＬレベルからＨレベルに遷移させるための正の信号エネルギーがスリーステイトＣＭＯＳ差動ドライバ１０９の逆相出力端子から信号配線１０１に供給され、信号配線１０１上をオペアンプ１２３−１、１２３−ｍの逆相入力端子に向かって伝送される。
【０２０１】
　なお、オペアンプ１２３−１、１２３−ｍの入力インピーダンスは、通常、信号配線ペア９９の特性インピーダンス（２０〜１００Ω）の１０００倍以上のハイインピーダンスとなっているので、信号配線ペア９９を伝送されてくる相補信号エネルギーはオペアンプ１２３−１、１２３−ｍでは殆ど吸収されず、そのままのエネルギー状態で終端抵抗１０２に到達し、ここで全エネルギーが熱となって消費される。したがって、相補信号エネルギーの反射は起こらないため、常に良好な波形の相補送信デジタル信号ＣＳ、／ＣＳがオペアンプ１２３−１、１２３−ｍを通過することになる。
【０２０２】
　また、ＩＣチップ１０８から発信されるリードイネーブル信号ＲＥが活性状態で、ＩＣチップ１０８のオペアンプ１１６が受信状態になると、ＩＣチップ１２２−１のスリーステイトＣＭＯＳ差動ドライバ１２４−１又はＩＣチップ１２２−ｍのスリーステイトＣＭＯＳ差動ドライバ１２４−ｍから相補送信デジタル信号が信号配線ペア９９に出力され、信号配線ペア９９を左右に伝送されることになるが、右方向に伝送される相補送信デジタル信号は、終端抵抗１０２で吸収され、左方向に伝送される相補送信デジタル信号は、ＩＣチップ１０８内の終端抵抗部１１７の終端抵抗１２０で吸収されるので、相補送信デジタル信号に反射が起こることはなく、オペアンプ１１６は、常に良好な波形の相補送信デジタル信号を受信することができる。
【０２０３】
　なお、スリーステイトＣＭＯＳ差動ドライバ１０９、１２４−１、１２４−ｍのオン抵抗は、信号配線ペア９９の特性インピーダンスの１／２以下の抵抗であることが好ましい。
【０２０４】
　このように、本発明の第５参考例においては、ＩＣチップ１０８から発信されるライトイネーブル信号ＷＥが活性状態の下で、送信デジタル信号ＴＳが遷移すると、相補信号エネルギーが信号配線１００、１０１上をオペアンプ１２３−１、１２３−ｍに向かって伝送されるが、信号配線１００、１０１は、カップリング係数を大とする等長平行配線からなるペア配線構造とされているので、信号配線１００、１０１を電磁界がほぼ閉じた伝送線路とし、信号配線１００、１０１上を伝送される相補信号エネルギーの損失を小さくしてＴＥＭ伝送に近いモードで伝送することができる。
【０２０５】
　また、電源配線１０６及び接地配線１０７も、カップリング係数を大とする等長平行配線からなるペア配線構造とされているので、電源・接地配線ペア１０５を電磁界がほぼ閉じた伝送線路とし、たとえ、電源・接地配線ペア１０５が長い場合であっても、相補送信デジタル信号ＣＳ、／ＣＳをオペアンプ１２３−１、１２３−ｍに伝送するに必要な、電源電圧入力端子１０３及び接地電圧入力端子１０４から電源・接地配線ペア１０５を介してのスリーステイトＣＭＯＳ差動ドライバ１０９への相補信号エネルギーの伝送をＴＥＭ伝送に近いモードで行うことができる。
【０２０６】
　しかも、電源・接地配線ペア１０５の特性インピーダンスは、信号配線ペア９９の特性インピーダンスと同一とされ、電源・接地配線ペア１０５は、特性インピーダンス上、信号配線ペア９９と整合するように構成されているので、信号配線ペア９９で消費される相補信号エネルギーと、電源電圧入力端子１０３及び接地電圧入力端子１０４からスリーステイトＣＭＯＳ差動ドライバ１０９に供給される相補信号エネルギーが整合し、その損失を小さくすることができる。
【０２０７】
　したがって、本発明の第５参考例によれば、相補送信デジタル信号ＣＳ、／ＣＳの波形の変形が実質的になくなり、スリーステイトＣＭＯＳ差動ドライバ１０９からオペアンプ１２３−１、１２３−ｍへの信号配線ペア９９を介しての相補送信デジタル信号ＣＳ、／ＣＳの光の速度に近い速度での伝送を行うことができる。
【０２０８】
　なお、ＩＣチップ１０８内のスリーステイトＣＭＯＳ差動ドライバ１０９に電源電圧及び接地電圧を供給する電源配線及び接地配線も等長平行配線からなるペア配線構造とすることが好適であり、このように構成する場合には、スリーステイトＣＭＯＳ差動ドライバ１０９からオペアンプ１２３−１、１２３−ｍへの信号配線ペア９９を介しての相補送信デジタル信号ＣＳ、／ＣＳの伝送の更なる高速化を図ることができる。
【０２０９】
　また、本発明の第５参考例によれば、ＩＣチップ１２２−１、１２２−ｍは、差動レシーバとしてオペアンプ１２３−１、１２３−ｍを設けているが、オペアンプ１２３−１、１２３−ｍは、同相ノイズ及び信号配線１００、１０１のどちらか一方に乗ったノイズに対しては動作せず、相補送信デジタル信号ＣＳ、／ＣＳのみに感知するので、伝送系をノイズマージンが大きい伝送系とすることができる。したがって、信号電圧を低く下げることができる。例えば、現行の回路で最も低い振幅は、０.８Ｖ〜１.５Ｖあたりであるが、０.１Ｖ程度まで下げることが可能である。これにより、立ち上がり及び立ち下がり勾配を低くでき、高周波信号の伝送を図ることができると共に、省電力を達成することができる。
【０２１０】
　（第６参考例・・図２５）
　図２５は本発明の第６参考例の概念図であり、本発明の第６参考例は、２組の信号配線ペアを有し、これら２組の信号配線ペアに分岐が存在し、かつ、双方向の信号伝送を行う伝送回路が構成されている場合を例にしている。
【０２１１】
　図２５中、１２６は配線基板、１２７は配線基板１２６に形成されたカップリング係数を大とする等長平行配線とされた信号配線１２８、１２９からなる信号配線ペア、１３１は配線基板１２６に形成されたカップリング係数を大とする等長平行配線とされた信号配線１３２、１３３からなる信号配線ペアである。なお、信号配線ペア１２７、１３１は、カップリング係数及び特性インピーダンスをそれぞれ同一とされ、等長、かつ、平行とされている。
【０２１２】
　また、１３５は配線基板１２６に形成された正の電源電圧ＶＤＤを入力するための電源電圧入力端子、１３６は配線基板１２６に形成された接地電圧ＶＳＳを入力するための接地電圧入力端子、１３７は配線基板１２６に形成されたカップリング係数を大とする等長平行配線とされた電源配線１３８及び接地配線１３９からなる電源・接地配線ペアである。
【０２１３】
　また、信号配線ペア１２７、１３１の特性インピーダンスをＺ０、電源・接地配線ペア１３７の特性インピーダンスをＺ１とすると、Ｚ１＝Ｚ０／２（但し、２は信号配線ペアの数）とされている。なお、Ｚ１＝Ｚ０／２とできない場合には、可能な限りこれに近い値とすることが好適である。
【０２１４】
　また、信号配線ペア１２７、１３１及び電源・接地配線ペア１３７は、図１６に示すと同様にコプレーナ配線構造としても良いし、図１７に示すと同様にスタック配線構造としても良い。
【０２１５】
　また、１４０は配線基板１２６に搭載されたＩＣチップであり、このＩＣチップ１４０は、その電源電圧入力端子１４０Ａを電源配線１３８に接続され、その接地電圧入力端子１４０Ｂを接地配線１３９に接続され、その信号入出力端子１４０Ｃ、１４０Ｄ、１４０Ｅ、１４０Ｆをそれぞれ信号配線１２８、１２９、１３２、１３３に接続されている。
【０２１６】
　また、ＩＣチップ１４０において、１４１は内部回路（図示せず）から与えられる送信デジタル信号ＴＳ１を相補送信デジタル信号ＣＳ１、／ＣＳ１に相補信号化し、これら相補送信デジタル信号ＣＳ１、／ＣＳ１を信号入出力端子１４０Ｃ、１４０Ｄを介して信号配線１２８、１２９に出力する、図２２に示すスリーステイトＣＭＯＳ差動ドライバ１０９と同様に構成されたスリーステイトＣＭＯＳ差動ドライバである。
【０２１７】
　また、１４２は内部回路から与えられる送信デジタル信号ＴＳ２を相補送信デジタル信号ＣＳ２、／ＣＳ２に相補信号化し、これら相補送信デジタル信号ＣＳ２、／ＣＳ２を信号入出力端子１４０Ｅ、１４０Ｆを介して信号配線１３２、１３３に出力する、図２２に示すスリーステイトＣＭＯＳ差動ドライバ１０９と同様に構成されたスリーステイトＣＭＯＳ差動ドライバである。
【０２１８】
　また、１４３は差動レシーバをなすオペアンプ、１４４は図２２に示す終端抵抗部１１７と同様に構成された信号配線１２８、１２９に接続されたＩＣチップ１４０内の信号配線を終端する終端抵抗部であり、オペアンプ１４３の正相入力端子及び終端抵抗部１４４の一端１４４Ａは、信号入出力端子１４０Ｃに接続され、オペアンプ１４３の逆相入力端子及び終端抵抗部１４４の他端１４４Ｂは、信号入出力端子１４０Ｄに接続されている。
【０２１９】
　また、１４５は差動レシーバをなすオペアンプ、１４６は図２２に示す終端抵抗部１１７と同様に構成された信号配線１３２、１３３に接続されたＩＣチップ１４０内の信号配線を終端する終端抵抗部であり、オペアンプ１４５の正相入力端子及び終端抵抗部１４６の一端１４６Ａは、信号入出力端子１４０Ｅに接続され、オペアンプ１４５の逆相入力端子及び終端抵抗部１４６の他端１４６Ｂは、信号入出力端子１４０Ｆに接続されている。
【０２２０】
　また、１４７−１、１４７−ｍは配線基板１２６に搭載された同種又は異種のＩＣチップであり、これらＩＣチップ１４７−１、１４７−ｍは、その信号入出力端子１４７−１Ａ、１４７−ｍＡを信号配線１２８に接続され、その信号入出力端子１４７−１Ｂ、１４７−ｍＢを信号配線１２９に接続されている。
【０２２１】
　また、ＩＣチップ１４７−１において、１４８−１は差動レシーバをなすオペアンプであり、その正相入力端子を信号入出力端子１４７−１Ａに接続され、その逆相入出力端子を信号入力端子１４７−１Ｂに接続されている。
【０２２２】
　また、１４９−１は差動レシーバをなすオペアンプであり、その正相入力端子を信号入出力端子１４７−１Ｃに接続され、その逆相入力端子を信号入出力端子１４７−１Ｄに接続されている。
【０２２３】
　また、１５０−１はスリーステイトＣＭＯＳ差動ドライバ１４１と同様に構成されたスリーステイトＣＭＯＳ差動ドライバであり、その正相出力端子を信号入出力端子１４７−１Ａに接続され、その逆相出力端子を信号入出力端子１４７−１Ｂに接続されている。
【０２２４】
　また、１５１−１はスリーステイトＣＭＯＳ差動ドライバ１４１と同様に構成されたスリーステイトＣＭＯＳ差動ドライバであり、その正相出力端子を信号入出力端子１４７−１Ｃに接続され、その逆相出力端子を信号入出力端子１４７−１Ｄに接続されている。
【０２２５】
　また、ＩＣチップ１４７−ｍにおいて、１４８−ｍは差動レシーバをなすオペアンプであり、その正相入力端子を信号入出力端子１４７−ｍＡに接続され、その逆相入力端子を信号入出力端子１４７−ｍＢに接続されている。
【０２２６】
　また、１４９−ｍは差動レシーバをなすオペアンプであり、その正相入力端子を信号入出力端子１４７−ｍＣに接続され、その逆相入力端子を信号入出力端子１４７−ｍＤに接続されている。
【０２２７】
　また、１５０−ｍはスリーステイトＣＭＯＳ差動ドライバ１４１と同様に構成されたスリーステイトＣＭＯＳ差動ドライバであり、その正相出力端子を信号入出力端子１４７−ｍＡに接続され、その逆相出力端子を信号入出力端子１４７−ｍＢに接続されている。
【０２２８】
　また、１５１−ｍはスリーステイトＣＭＯＳ差動ドライバ１４１と同様に構成されたスリーステイトＣＭＯＳ差動ドライバであり、その正相出力端子を信号入出力端子１４７−ｍＣに接続され、その逆相出力端子を信号入出力端子１４７−ｍＤに接続されている。
【０２２９】
　このように構成された本発明の第６参考例においては、ＩＣチップ１４０から発信されるライトイネーブル信号ＷＥが活性状態の下で、送信デジタル信号ＴＳ１がＬレベルからＨレベルに遷移すると、オペアンプ１４８−１、１４８−ｍの正相入力端子をＬレベルからＨレベルに遷移させるための正の信号エネルギーがスリーステイトＣＭＯＳ差動ドライバ１４１の正相出力端子から信号配線１２８に供給され、信号配線１２８上をオペアンプ１４８−１、１４８−ｍの正相入力端子に向かって伝送されると共に、オペアンプ１４８−１、１４８−ｍの逆相入力端子をＨレベルからＬレベルに遷移させるための負の信号エネルギーがスリーステイトＣＭＯＳ差動ドライバ１４１の逆相出力端子から信号配線１２９に供給され、信号配線１２９上をオペアンプ１４８−１、１４８−ｍの逆相入力端子に向かって伝送される。
【０２３０】
　また、送信デジタル信号ＴＳ２がＬレベルからＨレベルに遷移すると、オペアンプ１４９−１、１４９−ｍの正相入力端子をＬレベルからＨレベルに遷移させるための正の信号エネルギーがスリーステイトＣＭＯＳ差動ドライバ１４２の正相出力端子から信号配線１３２に供給され、信号配線１３２上をオペアンプ１４９−１、１４９−ｍの正相入力端子に向かって伝送されると共に、オペアンプ１４９−１、１４９−ｍの逆相入力端子をＨレベルからＬレベルに遷移させるための負の信号エネルギーがスリーステイトＣＭＯＳ差動ドライバ１４２の逆相出力端子から信号配線１３３に供給され、信号配線１３３上をオペアンプ１４９−１、１４９−ｍの逆相入力端子に向かって伝送される。
【０２３１】
　これに対して、送信デジタル信号ＴＳ１がＨレベルからＬレベルに遷移すると、オペアンプ１４８−１、１４８−ｍの正相入力端子をＨレベルからＬレベルに遷移させるための負の信号エネルギーがスリーステイトＣＭＯＳ差動ドライバ１４１の正相出力端子から信号配線１２８に供給され、信号配線１２８上をオペアンプ１４８−１、１４８−ｍの正相入力端子に向かって伝送されると共に、オペアンプ１４８−１、１４８−ｍの逆相入力端子をＬレベルからＨレベルに遷移させるための正の信号エネルギーがスリーステイトＣＭＯＳ差動ドライバ１４１の逆相出力端子から信号配線１２９に供給され、信号配線１２９上をオペアンプ１４８−１、１４８−ｍの逆相入力端子に向かって伝送される。
【０２３２】
　また、送信デジタル信号ＴＳ２がＨレベルからＬレベルに遷移すると、オペアンプ１４９−１、１４９−ｍの正相入力端子をＨレベルからＬレベルに遷移させるための負の信号エネルギーがスリーステイトＣＭＯＳ差動ドライバ１４２の正相出力端子から信号配線１３２に供給され、信号配線１３２上をオペアンプ１４９−１、１４９−ｍの正相入力端子に向かって伝送されると共に、オペアンプ１４９−１、１４９−ｍの逆相入力端子をＬレベルからＨレベルに遷移させるための正の信号エネルギーがスリーステイトＣＭＯＳ差動ドライバ１４２の逆相出力端子から信号配線１３３に供給され、信号配線１３３上をオペアンプ１４９−１、１４９−ｍの逆相入力端子に向かって伝送される。
【０２３３】
　なお、オペアンプ１４８−１、１４８−ｍ、１４９−１、１４９−ｍの入力インピーダンスは、通常、信号配線ペア１２７、１３１の特性インピーダンス（２０〜１００Ω）の１０００倍以上のハイインピーダンスとなっているので、信号配線ペア１２７、１３１を伝送されてくる相補信号エネルギーはオペアンプ１４８−１、１４８−ｍ、１４９−１、１４９−ｍでは殆ど吸収されず、そのままのエネルギー状態で終端抵抗１３０、１３４に到達し、ここで全エネルギーが熱となって消費される。したがって、相補信号エネルギーの反射は起こらないため、常に良好な波形の相補送信デジタル信号ＣＳ１、／ＣＳ１及び相補送信デジタル信号ＣＳ２、／ＣＳ２がそれぞれオペアンプ１４８−１、１４８−ｍ及びオペアンプ１４９−１、１４９−ｍを通過することになる。
【０２３４】
　また、ＩＣチップ１４０から発信されるリードイネーブル信号ＲＥが活性状態で、ＩＣチップ１４０のオペアンプ１４３、１４５が受信状態になると、ＩＣチップ１４７−１のスリーステイトＣＭＯＳ差動ドライバ１５０−１、１５１−１又はＩＣチップ１４７−ｍのスリーステイトＣＭＯＳ差動ドライバ１５０−ｍ、１５１−ｍから相補送信デジタル信号が信号配線ペア１２７、１３１に出力され、信号配線ペア１２７、１３１を左右に伝送されることになるが、右方向に伝送される相補送信デジタル信号は、終端抵抗１３０、１３４で吸収され、左方向に伝送される相補送信デジタル信号は、ＩＣチップ１４０内の終端抵抗部１４４、１４６の抵抗で吸収されるので、相補送信デジタル信号に反射が起こることはなく、オペアンプ１４３、１４５は、常に良好な波形の相補送信デジタル信号を受信することができる。
【０２３５】
　なお、スリーステイトＣＭＯＳ差動ドライバ１４１、１４２、１５０−１、１５１−１、１５０−ｍ、１５１−ｍのオン抵抗は、信号配線ペア１２７、１３１の特性インピーダンスの１／２以下の抵抗であることが好ましい。
【０２３６】
　このように、本発明の第６参考例においては、ＩＣチップ１４０から発信されるライトイネーブル信号ＷＥが活性状態の下で、送信デジタル信号ＴＳ１、ＴＳ２が遷移すると、相補信号エネルギーが信号配線１２８、１２９及び信号配線１３２、１３３上をオペアンプ１４８−１、１４８−ｍ及びオペアンプ１４９−１、１４９−ｍに向かって伝送されるが、信号配線１２８、１２９及び信号配線１３２、１３３は、カップリング係数を大とする等長平行配線からなるペア配線構造とされているので、信号配線１２８、１２９及び信号配線１３２、１３３を電磁界がほぼ閉じた伝送線路とし、信号配線１２８、１２９及び信号配線１３２、１３３上を伝送される相補信号エネルギーの損失を小さくしてＴＥＭ伝送に近いモードで伝送することができる。
【０２３７】
　また、電源配線１３８及び接地配線１３９も、カップリング係数を大とする等長平行配線からなるペア配線構造とされているので、電源・接地配線ペア１３７を電磁界がほぼ閉じた伝送線路とし、たとえ、電源・接地配線ペア１３７が長い場合であっても、相補送信デジタル信号ＣＳ１、／ＣＳ１及び相補送信デジタル信号ＣＳ２、／ＣＳ２をオペアンプ１４８−１、１４８−ｍ及びオペアンプ１４９−１、１４９−ｍに伝送するに必要な、電源電圧入力端子１３５及び接地電圧入力端子１３６から電源・接地配線ペア１３７を介してのスリーステイトＣＭＯＳ差動ドライバ１４１、１４２への相補信号エネルギーの伝送をＴＥＭ伝送に近いモードで行うことができる。
【０２３８】
　しかも、本発明の第６参考例においては、信号配線ペア１２７、１３１の特性インピーダンスをＺ０、電源・接地配線ペア１３７の特性インピーダンスをＺ１とすると、Ｚ１＝Ｚ０／２とされ、電源・接地配線ペア１３７は、特性インピーダンス上、信号配線ペア１２７、１３１に整合するように構成されているので、信号配線ペア１２７、１３１で消費される相補信号エネルギーと、電源電圧入力端子１３５及び接地電圧入力端子１３６からスリーステイトＣＭＯＳ差動ドライバ１４１、１４２に供給される相補信号エネルギーが整合し、その損失を小さくすることができる。
【０２３９】
　したがって、本発明の第６参考例によれば、相補送信デジタル信号ＣＳ１、／ＣＳ１及び相補送信デジタル信号ＣＳ２、／ＣＳ２の波形の変形が実質的になくなり、スリーステイトＣＭＯＳ差動ドライバ１４１及びスリーステイトＣＭＯＳ差動ドライバ１４２からオペアンプ１４８−１、１４８−ｍ及びオペアンプ１４９−１、１４９−ｍへの信号配線ペア１２７及び信号配線ペア１３１を介しての相補送信デジタル信号ＣＳ１、／ＣＳ１及び相補送信デジタル信号ＣＳ２、／ＣＳ２の光の速度に近い速度での伝送を行うことができる。
【０２４０】
　なお、ＩＣチップ１４０内のスリーステイトＣＭＯＳ差動ドライバ１４１、１４２に電源電圧ＶＤＤ及び接地電圧ＶＳＳを供給する電源配線及び接地配線も等長平行配線からなるペア配線構造とすることが好適であり、このように構成する場合には、スリーステイトＣＭＯＳ差動ドライバ１４１及びスリーステイトＣＭＯＳ差動ドライバ１４２からオペアンプ１４８−１、１４８−ｍ及びオペアンプ１４９−１、１４９−ｍへの信号配線ペア１２７及び信号配線ペア１３１を介しての相補送信デジタル信号ＣＳ１、／ＣＳ１及び相補送信デジタル信号ＣＳ２、／ＣＳ２の伝送の更なる高速化を図ることができる。
【０２４１】
　また、本発明の第６参考例によれば、ＩＣチップ１４７−１、１４７−ｍは、差動レシーバとしてオペアンプ１４８−１、１４９−１、１４８−ｍ、１４９−ｍを設けているが、オペアンプ１４８−１、１４８−ｍは、同相ノイズ及び信号配線１２８、１２９のどちらか一方に乗ったノイズに対しては動作せず、相補送信デジタル信号ＣＳ１、／ＣＳ１のみに感知し、オペアンプ１４９−１、１４９−ｍは、同相ノイズ及び信号配線１３２、１３３のどちらか一方に乗ったノイズに対しては動作せず、相補送信デジタル信号ＣＳ２、／ＣＳ２のみに感知するので、伝送系をノイズマージンが大きい伝送系とすることができる。したがって、信号電圧を低く下げることができる。例えば、現行の回路で最も低い振幅は、０.８Ｖ〜１.５Ｖあたりであるが、０.１Ｖ程度まで下げることが可能である。これにより、立ち上がり及び立ち下がり勾配を低くでき、高周波信号の伝送を図ることができると共に、省電力を達成することができる。
【０２４２】
　（第７参考例・・図２６、図２７）
　図２６は本発明の第７参考例の概念図であり、本発明の第７参考例は、ＩＣチップ２９内に設けられているＣＭＯＳ差動ドライバ３０用の電源配線と接地配線との間にコンデンサ１５３を接続し、その他については、図１２に示す本発明の第１参考例と同様に構成したものである。
【０２４３】
　ここに、例えば、ＣＭＯＳ差動ドライバ３０の正相出力端子に出力される正相送信デジタル信号ＣＳの立ち上がり時間が信号配線２２の全体をＨレベルにするための信号エネルギーを供給する時間（信号配線２２の伝送遅延時間）よりも遅い場合には、信号配線２２に対する正の信号エネルギーの供給と、ＣＭＯＳ差動レシーバ３４に対する信号エネルギーの供給は平行して行われ、ＣＭＯＳ差動レシーバ３４に信号配線２２の存在を意識させることは、ほぼ無い。
【０２４４】
　これに対して、ＣＭＯＳ差動ドライバ３０の正相出力端子に出力される正相送信デジタル信号ＣＳの立ち上がり時間が信号配線２２の全体をＨレベルにするための信号エネルギーを供給する時間よりも早い場合には、正相送信デジタル信号ＣＳがＣＭＯＳ差動レシーバ３４に伝送される前に、ＣＭＯＳ差動ドライバ３０から出力される正相送信デジタル信号ＣＳをＨレベルにしなければ、正相送信デジタル信号ＣＳの伝送の高速化を図ることができない。
【０２４５】
　当然、反対に、正相送信デジタル信号ＣＳをＬレベルに遷移させる場合には、高エネルギー状態の信号配線２２のエネルギーを高速に逃がす操作が正相送信デジタル信号ＣＳの伝送の高速化を図るために必要となる。
【０２４６】
　ここに、良いレシーバとは、微弱な信号エネルギーでも、それを充分関知して、自身の状態を遷移させるものであり、信号立ち上がり時間が信号配線の遅延よりも遅いときは、小さな信号エネルギーの供給で足り、ドライバビリティの小さなドライバ（消費電力の小さなドライバ）が使用できた。
【０２４７】
　ところが、信号配線の遅延時間より信号の立ち上がり時間が短い高速の信号が出力されることが通常となった現在、レシーバの特性よりも、まず、信号配線への信号エネルギーの供給をどのようにするのかがドライバの設計において重要となってきた。
【０２４８】
　良いレシーバの特性を見ると、信号の電気エネルギーを消費しない、即ち、入力抵抗の高いものであり、これを、例えば、１ＫΩであるとすると、これに対して、信号配線の特性インピーダンスは２５〜２００Ωである。したがって、信号配線は、レシーバより１桁から２桁ものエネルギーを消費するものとなる。
【０２４９】
　ここに、例えば、信号配線の長さを３０ｃｍ、信号の伝播速度を２×１０8ｍ／ｓとすると、信号配線の伝搬に要する時間は、１.５ｎｓとなり、レシーバがこの信号配線の中間に存在したとしても、この１.５ｎｓの間は、信号配線に信号エネルギーを供給する時間となり、ドライバは、この間、信号エネルギーを供給し続けなければならない。即ち、ドライバのドライバビリティとして、信号配線の特性インピーダンスを負荷と見なした能力がなければならない。
【０２５０】
　ここに、図２７はＩＣチップ内の電源配線の電源電圧と、ＣＭＯＳ差動ドライバ３０から出力される正相送信デジタル信号ＣＳとの関係を示す波形図であり、図２７（Ａ）はコンデンサ１５３が存在しない場合、図２７（Ｂ）はコンデンサ１５３が存在する場合を示しており、実線Ｐ１は電源電圧、実線Ｐ２は正相送信デジタル信号ＣＳを示している。
【０２５１】
　即ち、差動ドライバ３０は、基本的にはスイッチ回路であり、そのドライバビリティの源泉は電源・接地配線ペア２６となるが、電源・接地配線ペア２６の特性インピーダンスＺ１が信号配線ペア２１の特性インピーダンスＺ０よりも大きく、かつ、コンデンサ１５３が存在していないと、図２７（Ａ）に示すように、電源電圧の降下が起き、正相送信デジタル信号ＣＳの立ち上がりは、なだらかになる。
【０２５２】
　これに対して、本発明の第７参考例においては、ＩＣチップ２９内に設けられているＣＭＯＳ差動ドライバ３０用の電源配線と接地配線との間にはコンデンサ１５３が接続されているので、電源・接地配線ペア２６の特性インピーダンスＺ１が信号配線ペア２１の特性インピーダンスＺ０よりも大きい場合であっても、コンデンサ１５３の電荷が信号配線２２に供給され、図２７（Ｂ）に示すように、差動ドライバ３０から出力される正相送信デジタル信号ＣＳは、立ち上がり波形の急峻なものとなる。
【０２５３】
　ここに、ＣＭＯＳ差動ドライバ３０から信号配線２２に信号エネルギーが供給される時間、即ち、信号配線２２の遅延時間をｔpd［ｓ］とし、その間に信号配線２２に流れる電流をＩ［Ａ］とすると、その間に信号配線２２に供給される電荷量Ｑ［Ｃ］は、Ｑ＝Ｉｔ［Ｃ］となる。そこで、送信デジタル信号ＣＳの振幅（電圧）をＶ［Ｖ］とすると、この電荷量を蓄えるに必要なコンデンサの容量Ｃ［Ｆ］は、Ｃ＝Ｑ／Ｖとなる。
【０２５４】
　たとえば、ＣＭＯＳ差動ドライバ３０のオン抵抗を５０Ω、信号配線ペア２１の特性インピーダンスを５０Ω、信号の振幅を０.１Ｖ、信号配線２２の遅延時間ｔpdを１.５ｎｓとすると、Ｉ＝１ｍＡ、Ｑ＝１.５ｐＣ、Ｃ＝１５ｐＦとなる。
【０２５５】
　ここに、信号配線ペア２１をスタック配線構造とした場合において、真空誘電率をε0、絶縁基板の誘電率をεr、信号配線２２、２３間への印加電圧をＶ、信号配線２２の面積をＡ、信号配線２２、２３間の距離をｄとすると、Ｑ＝ε0εrＶＡ／ｄが成立する。そこで、ε0＝８.８５×１０-12［Ｆ／ｍ］、εr＝３、Ｑ＝１.５ｐＣとすると、Ａ／ｄ＝０.５６４ｍとなる。また、ｄ＝２０ｎｍとすると、Ａ＝１.１３×１０-8ｍ2となり、寸法に直すと、Ａ＝０.１１ｍｍ×０.１１ｍｍとなる。
【０２５６】
　この寸法は、とても、ＩＣチップ２９のアクティブ領域内には埋め込めないが、電源電圧入力端子２９Ａをなすボンディングパッド及び接地電圧入力端子２９Ｂをなすボンディングパッドの下方に形成することができる。
【０２５７】
　このように、本発明の第７参考例によれば、ＩＣチップ２９内に設けられているＣＭＯＳ差動ドライバ３０用の電源配線と接地配線との間にコンデンサ１５３を接続しているので、送信デジタル信号ＴＳが遷移した場合、電源・接地配線ペア２６を介してＣＭＯＳ差動ドライバ３０に相補信号エネルギーが供給される前に、コンデンサ１５３からＣＭＯＳ差動ドライバ３０に相補信号エネルギーを供給することができ、図１２に示す本発明の第１参考例以上に相補送信デジタル信号ＣＳ、／ＣＳの伝送の高速化を図ることができる。
【０２５８】
　なお、本発明の第７参考例は、特に、Ｚ１（電源・接地配線ペア２６の特性インピーダンス）＞Ｚ０（信号配線ペア２１の特性インピーダンス）の場合に有効である。
【０２５９】
　（第８参考例・・図２８）
　図２８は本発明の第８参考例の概念図であり、本発明の第８参考例は、ＩＣチップ４８内に設けられているＣＭＯＳ差動ドライバ４９、５０用の電源配線と接地配線との間にコンデンサ１５４を接続し、その他については、図１５に示す本発明の第２参考例と同様に構成したものである。
【０２６０】
　本発明の第８参考例によれば、送信デジタル信号ＴＳ１、ＴＳ２が遷移した場合、電源・接地配線ペア４５を介してＣＭＯＳ差動ドライバ４９、５０に相補信号エネルギーが供給される前に、コンデンサ１５４からＣＭＯＳ差動ドライバ４９、５０に相補信号エネルギーを供給することができ、図１５に示す本発明の第２参考例以上に相補送信デジタル信号ＣＳ１、／ＣＳ１及び相補送信デジタル信号ＣＳ２、／ＣＳ２の伝送の高速化を図ることができる。
【０２６１】
　なお、本発明の第８参考例は、特に、Ｚ１（電源・接地配線ペア４５の特性インピーダンス）＞Ｚ０（信号配線ペア３７、４０の特性インピーダンス）／２の場合に有効である。
【０２６２】
　（第９参考例・・図２９）
　図２９は本発明の第９参考例の概念図であり、本発明の第９参考例は、ＩＣチップ６５内に設けられているＣＭＯＳ差動ドライバ６６用の電源配線と接地配線との間にコンデンサ１５５を接続し、その他については、図１８に示す本発明の第３参考例と同様に構成したものである。
【０２６３】
　本発明の第９参考例によれば、送信デジタル信号ＴＳが遷移した場合、電源・接地配線ペア６２を介してＣＭＯＳ差動ドライバ６６に相補信号エネルギーが供給される前に、コンデンサ１５５からＣＭＯＳ差動ドライバ６６に相補信号エネルギーを供給することができ、図１８に示す本発明の第３参考例以上に相補送信デジタル信号ＣＳ、／ＣＳの伝送の高速化を図ることができる。
【０２６４】
　なお、本発明の第９参考例は、特に、Ｚ１（電源・接地配線ペア６２の特性インピーダンス）＞Ｚ０（信号配線ペア５６の特性インピーダンス）の場合に有効である。
【０２６５】
　（第１０参考例・・図３０）
　図３０は本発明の第１０参考例の概念図であり、本発明の第１０参考例は、ＩＣチップ８４内に設けられているＣＭＯＳ差動ドライバ８５、８６用の電源配線と接地配線との間にコンデンサ１５６を接続し、その他については、図１９に示す本発明の第４参考例と同様に構成したものである。
【０２６６】
　本発明の第１０参考例によれば、送信デジタル信号ＴＳ１、ＴＳ２が遷移した場合、電源・接地配線ペア８１を介してＣＭＯＳ差動ドライバ８５、８６に相補信号エネルギーが供給される前に、コンデンサ１５６からＣＭＯＳ差動ドライバ８５、８６に相補信号エネルギーを供給することができ、図１９に示す本発明の第４参考例以上に相補送信デジタル信号ＣＳ１、／ＣＳ１及び相補送信デジタル信号ＣＳ２、／ＣＳ２の伝送の高速化を図ることができる。
【０２６７】
　なお、本発明の第１０参考例は、特に、Ｚ１（電源・接地配線ペア８１の特性インピーダンス）＞Ｚ０（信号配線ペア７１、７５の特性インピーダンス）／２の場合に有効である。
【０２６８】
　（第１１参考例・・図３１）
　図３１は本発明の第１１参考例の概念図であり、本発明の第１１参考例は、ＩＣチップ１０８内に設けられているスリーステイトＣＭＯＳ差動ドライバ１０９用の電源配線と接地配線との間にコンデンサ１５７を接続し、その他については、図２２に示す本発明の第５参考例と同様に構成したものである。
【０２６９】
　本発明の第１１参考例によれば、送信デジタル信号ＴＳが遷移した場合、電源・接地配線ペア１０５を介してスリーステイトＣＭＯＳ差動ドライバ１０９に相補信号エネルギーが供給される前に、コンデンサ１５７からスリーステイトＣＭＯＳ差動ドライバ１０９に相補信号エネルギーを供給することができ、図２２に示す本発明の第５参考例以上に相補送信デジタル信号ＣＳ、／ＣＳの伝送の高速化を図ることができる。
【０２７０】
　なお、本発明の第１１参考例は、特に、Ｚ１（電源・接地配線ペア１０５の特性インピーダンス）＞Ｚ０（信号配線ペア９９の特性インピーダンス）の場合に有効である。
【０２７１】
　（第１２参考例・・図３２）
　図３２は本発明の第１２参考例の概念図であり、本発明の第１２参考例は、ＩＣチップ１４０内に設けられているスリーステイトＣＭＯＳ差動ドライバ１４１、１４２用の電源配線と接地配線との間にコンデンサ１５８を接続し、その他については、図２５に示す本発明の第６参考例と同様に構成したものである。
【０２７２】
　本発明の第１２参考例によれば、送信デジタル信号ＴＳ１、ＴＳ２が遷移した場合、電源・接地配線ペア１３７を介してスリーステイトＣＭＯＳ差動ドライバ１４１、１４２に相補信号エネルギーが供給される前に、コンデンサ１５８からスリーステイトＣＭＯＳ差動ドライバ１４１、１４２に相補信号エネルギーを供給することができ、図２５に示す本発明の第６参考例以上に相補送信デジタル信号ＣＳ１、／ＣＳ１及び相補送信デジタル信号ＣＳ２、／ＣＳ２の伝送の高速化を図ることができる。
【０２７３】
　なお、本発明の第１２参考例は、特に、Ｚ１（電源・接地配線ペア１３７の特性インピーダンス）＞Ｚ０（信号配線ペア１２７、１３１の特性インピーダンス）／２の場合に有効である。
【０２７４】
　なお、第７参考例〜第１２参考例に示すように、ＩＣチップ内の電源配線と接地配線との間にコンデンサを接続することは、非差動送信デジタル信号を出力するドライバを備えるＩＣチップを搭載している電子装置にも適用することができ、そのようにする場合には、非差動送信デジタル信号を出力するドライバを備えるＩＣチップを搭載している電子装置において、非差動送信デジタル信号の伝送の高速化を図ることができる。
【０２７５】
　（第１３参考例・・図３３、図３４）
　図３３は本発明の第１３参考例の概念図であり、本発明の第１３参考例は、ＩＣチップ２９の近傍の電源配線２７と接地配線２８との間にコンデンサ１５９を接続し、その他については、図２６に示す本発明の第７参考例と同様に構成したものである。
【０２７６】
　図３４は本発明の第１３参考例を説明するためのタイムチャートであり、図３４（Ａ）はＩＣチップ２９内のＣＭＯＳ差動ドライバ３０用の電源配線にインダクタンスによる電圧降下が存在しない場合の電源電流（破線Ｙ１）及び電圧降下が存在する場合の電源電流（実線Ｙ２）を示している。
【０２７７】
　また、図３４（Ｂ）はＩＣチップ２９内のＣＭＯＳ差動ドライバ３０用の電源配線にインダクタンスによる電圧降下が存在しない場合の電源電圧（破線Ｙ３）、ＩＣチップ２９内にコンデンサ１５３がない場合においてＩＣチップ２９内のＣＭＯＳ差動ドライバ３０用の電源配線にインダクタンスによる電圧降下が存在する場合の電源電圧（実線Ｙ４）、コンデンサ１５３の容量を１５ｐＦとした場合に、信号配線２２にコンデンサ１５３のみから電源電圧を供給した場合のコンデンサ１５３の電圧変化（実線Ｙ５）、コンデンサ１５３の容量を１.５ｐＦとした場合に、信号配線２２にコンデンサ１５３のみから電源電圧を供給した場合のコンデンサ１５３の電圧変化（実線Ｙ６）を示している。
【０２７８】
　但し、本発明の第７参考例で例を挙げたように、信号配線２２の遅延時間は１.５ｎｓ、電源電流Ｉは１ｍＡ、送信デジタル信号ＣＳの振幅は０.１Ｖとし、送信デジタル信号ＴＳの立ち上がり時間ｔrは０.１ｎｓとしている。
【０２７９】
　ここに、たとえば、送信デジタル信号ＴＳがＬレベルからＨレベルへの遷移を開始し、０.１ｎｓ後にＨレベルとなると、コンデンサ１５３が存在しない場合には、ＩＣチップ２９内のＣＭＯＳ差動ドライバ３０用の電源配線にインダクタンスによる電圧降下が存在する場合、電源電圧の電圧降下は０.０５Ｖとなるが、コンデンサ１５３が存在すれば、この電源電圧の電圧降下が０.０５Ｖとならないようにすることができる。
【０２８０】
　即ち、例えば、コンデンサ１５３の容量を１５ｐＦとした場合において、信号配線２２にコンデンサ１５３のみから電源電圧を供給した場合、送信デジタル信号ＴＳがＬレベルからＨレベルに変化を開始した後、１.５ｎｓが経過したとしても、電源電圧（コンデンサ１５３の電圧）は、０.０８１Ｖに降下するにすぎない。
【０２８１】
　これに対して、コンデンサ１５３の容量を１.５ｐＦとした場合において、信号配線２２にコンデンサ１５３のみから電源電圧を供給した場合、送信デジタル信号ＴＳがＬレベルからＨレベルに変化を開始した後、１.５ｎｓが経過した場合には、電源電圧（コンデンサ１５３の電圧）は、０.０１３Ｖに降下してしまうが、送信デジタル信号ＴＳがＨレベルとなった後、０.１ｎｓ程度の間であれば、電源電圧（コンデンサ１５３の電圧）の降下を０.０６Ｖ程度に抑えることができる。
【０２８２】
　そこで、ＩＣチップ２９の近傍の電源配線２７と接地配線２８との間に容量をコンデンサ１５３の容量よりも大きくするコンデンサ１５９を接続すれば、コンデンサ１５３の容量を小さくすることができ、しかも、相補送信デジタル信号ＣＳ、／ＣＳの伝送の高速化を図ることができる。本発明の第１３参考例は、これを実現したものであり、パッドが微細化した場合においても、パッドの下方にコンデンサ１５３を形成することができる。
【０２８３】
　例えば、信号配線２２、２３の遅延時間の１／１０以下で応答できる距離の電源配線２７と接地配線２８との間にコンデンサ１５３の容量の５倍以上の容量を有するコンデンサ１５９を接続する場合には、コンデンサ１５３の容量を本発明の第７参考例の場合の容量（１５ｐＦ）の１／１０である１.５ｐＦにしても、相補送信デジタル信号ＣＳ、／ＣＳの伝送の高速化を図ることができる。
【０２８４】
　このように、本発明の第１３参考例によれば、送信デジタル信号ＴＳが遷移した場合、電源・接地配線ペア２６を介してＣＭＯＳ差動ドライバ３０に相補信号エネルギーが供給される前に、コンデンサ１５３からＣＭＯＳ差動ドライバ３０に相補信号エネルギーを供給することができると共に、コンデンサ１５９からコンデンサ１５３に相補信号エネルギーを供給することができるので、図２６に示す本発明の第７参考例と同様に相補送信デジタル信号ＣＳ、／ＣＳの伝送の高速化を図ることができると共に、コンデンサ１５３の小容量化を図ることができ、ＩＣチップ２９の微細化に対応することができる。
【０２８５】
　なお、本発明の第１３参考例は、特に、Ｚ１（電源・接地配線ペア２６の特性インピーダンス）＞Ｚ０（信号配線ペア２１の特性インピーダンス）の場合に有効である。
【０２８６】
　（第１４参考例・・図３５）
　図３５は本発明の第１４参考例の概念図であり、本発明の第１４参考例は、ＩＣチップ４８の近傍の電源配線４６と接地配線４７との間にコンデンサ１６０を接続し、その他については、図２８に示す本発明の第８参考例と同様に構成したものである。
【０２８７】
　本発明の第１４参考例によれば、送信デジタル信号ＴＳ１、ＴＳ２が遷移した場合、電源・接地配線ペア４５を介してＣＭＯＳ差動ドライバ４９、５０に相補信号エネルギーが供給される前に、コンデンサ１５４からＣＭＯＳ差動ドライバ４９、５０に相補信号エネルギーを供給することができると共に、コンデンサ１６０からコンデンサ１５４に相補信号エネルギーを供給することができるので、図２８に示す本発明の第８参考例と同様に相補送信デジタル信号ＣＳ１、／ＣＳ１及び相補送信デジタル信号ＣＳ２、／ＣＳ２の伝送の高速化を図ることができると共に、コンデンサ１５４の小容量化を図ることができ、ＩＣチップ４８の微細化に対応することができる。
【０２８８】
　なお、本発明の第１４参考例は、特に、Ｚ１（電源・接地配線ペア４５の特性インピーダンス）＞Ｚ０（信号配線ペア３７、４０の特性インピーダンス）／２の場合に有効である。
【０２８９】
　（第１５参考例・・図３６）
　図３６は本発明の第１５参考例の概念図であり、本発明の第１５参考例は、ＩＣチップ６５の近傍の電源配線６３と接地配線６４との間にコンデンサ１６１を接続し、その他については、図２９に示す本発明の第９参考例と同様に構成したものである。
【０２９０】
　本発明の第１５参考例によれば、送信デジタル信号ＴＳが遷移した場合、電源・接地配線ペア６２を介してＣＭＯＳ差動ドライバ６６に相補信号エネルギーが供給される前に、コンデンサ１５５からＣＭＯＳ差動ドライバ６６に相補信号エネルギーを供給することができると共に、コンデンサ１６１からコンデンサ１５５に相補信号エネルギーを供給することができるので、図２９に示す本発明の第９参考例と同様に相補送信デジタル信号ＣＳ、／ＣＳの伝送の高速化を図ることができると共に、コンデンサ１５５の小容量化を図ることができ、ＩＣチップ６５の微細化に対応することができる。
【０２９１】
　なお、本発明の第１５参考例は、特に、Ｚ１（電源・接地配線ペア６２の特性インピーダンス）＞Ｚ０（信号配線ペア５６の特性インピーダンス）の場合に有効である。
【０２９２】
　（第１６参考例・・図３７）
　図３７は本発明の第１６参考例の概念図であり、本発明の第１６参考例は、ＩＣチップ８４の近傍の電源配線８２と接地配線８３との間にコンデンサ１６２を接続し、その他については、図３０に示す本発明の第１０参考例と同様に構成したものである。
【０２９３】
　本発明の第１６参考例によれば、送信デジタル信号ＴＳ１、ＴＳ２が遷移した場合、電源・接地配線ペア８１を介してＣＭＯＳ差動ドライバ８５、８６に相補信号エネルギーが供給される前に、コンデンサ１５６からＣＭＯＳ差動ドライバ８５、８６に相補信号エネルギーを供給することができると共に、コンデンサ１６２からコンデンサ１５６に相補信号エネルギーを供給することができるので、図３０に示す本発明の第１０参考例と同様に相補送信デジタル信号ＣＳ１、／ＣＳ１及び相補送信デジタル信号ＣＳ２、／ＣＳ２の伝送の高速化を図ることができると共に、コンデンサ１５６の小容量化を図ることができ、ＩＣチップ８４の微細化に対応することができる。
【０２９４】
　なお、本発明の第１６参考例は、特に、Ｚ１（電源・接地配線ペア８１の特性インピーダンス）＞Ｚ０（信号配線ペア７１、７５の特性インピーダンス）／２の場合に有効である。
【０２９５】
　（第１７参考例・・図３８）
　図３８は本発明の第１７参考例の概念図であり、本発明の第１７参考例は、ＩＣチップ１０８の近傍の電源配線１０６と接地配線１０７との間にコンデンサ１６３を接続し、その他については、図３１に示す本発明の第１１参考例と同様に構成したものである。
【０２９６】
　本発明の第１７参考例によれば、送信デジタル信号ＴＳが遷移した場合、電源・接地配線ペア１０５を介してスリーステイトＣＭＯＳ差動ドライバ１０９に相補信号エネルギーが供給される前に、コンデンサ１５７からスリーステイトＣＭＯＳ差動ドライバ１０９に相補信号エネルギーを供給することができると共に、コンデンサ１６３からコンデンサ１５７に相補信号エネルギーを供給することができるので、図３１に示す本発明の第１１参考例と同様に相補送信デジタル信号ＣＳ、／ＣＳの伝送の高速化を図ることができると共に、コンデンサ１５７の小容量化を図ることができ、ＩＣチップ１０８の微細化に対応することができる。
【０２９７】
　なお、本発明の第１７参考例は、特に、Ｚ１（電源・接地配線ペア１０５の特性インピーダンス）＞Ｚ０（信号配線ペア９９の特性インピーダンス）の場合に有効である。
【０２９８】
　（第１８参考例・・図３９）
　図３９は本発明の第１８参考例の概念図であり、本発明の第１８参考例は、ＩＣチップ１４０の近傍の電源配線１３８と接地配線１３９との間にコンデンサ１６４を接続し、その他については、図３２に示す本発明の第１２参考例と同様に構成したものである。
【０２９９】
　本発明の第１８参考例によれば、送信デジタル信号ＴＳ１、ＴＳ２が遷移した場合、電源・接地配線ペア１３７を介してスリーステイトＣＭＯＳ差動ドライバ１４１、１４２に相補信号エネルギーが供給される前に、コンデンサ１５８からスリーステイトＣＭＯＳ差動ドライバ１４１、１４２に相補信号エネルギーを供給することができると共に、コンデンサ１６４からコンデンサ１５８に相補信号エネルギーを供給することができるので、図３２に示す本発明の第１２参考例と同様に相補送信デジタル信号ＣＳ１、／ＣＳ１及び相補送信デジタル信号ＣＳ２、／ＣＳ２の伝送の高速化を図ることができると共に、コンデンサ１５８の小容量化を図ることができ、ＩＣチップ１４０の微細化に対応することができる。
【０３００】
　なお、本発明の第１８参考例は、特に、Ｚ１（電源・接地配線ペア１３７の特性インピーダンス）＞Ｚ０（信号配線ペア１２７、１３１の特性インピーダンス）／２の場合に有効である。
【０３０１】
　また、第１３参考例〜第１８参考例に示すように、ＩＣチップ内の電源配線と接地配線との間にコンデンサを接続すると共に、ＩＣチップの近傍の電源配線と接地配線との間にコンデンサを接続することは、非差動送信デジタル信号を出力するドライバを備えるＩＣチップを搭載している電子装置にも適用することができ、そのようにする場合には、非差動送信デジタル信号を出力するドライバを備えるＩＣチップを搭載している電子装置において、非差動送信デジタル信号の伝送の高速化を図ることができる。
【０３０２】
　また、第１参考例〜第１８参考例において、相補送信デジタル信号を出力する差動ドライバの出力端側に送信デジタル信号の第３高調波以上をカットするローパスフィルタを挿入する場合には、送信デジタル信号として波形の良好なデジタル信号を伝送させることができる。
【０３０３】
　また、相補送信デジタル信号を出力する差動ドライバの出力端側に送信デジタル信号の第３高調波以上をカットするローパスフィルタを挿入すると共に、差動ドライバの電源電圧入力端子側及び接地電圧入力端子側に送信デジタル信号の第３高調波以上をカットするローパスフィルタを挿入する場合には、送信デジタル信号として更に波形の良好なデジタル信号を伝送させることができる。
【０３０４】
　また、送信デジタル信号の第３高調波以上をカットするローパスフィルタは、送信デジタル信号の基本周波数成分を通過域とするバンドパスフィルタと、直流成分を通過域とするローパスフィルタとを並列接続して構成しても良い。
【０３０５】
　また、このようなローパスフィルタは、ＩＣチップの内部に作成しても良いし、配線とＩＣチップとの間に接続させるようにしても良い。
【０３０６】
　また、このようなローパスフィルタを設けることは、非差動送信デジタル信号を出力するドライバを備えるＩＣチップを搭載している電子装置にも適用することができ、そのようにする場合には、非差動送信デジタル信号を出力するドライバを備えるＩＣチップを搭載している電子装置において、非差動送信デジタル信号として波形の良好なデジタル信号を伝送させることができる。
【０３０７】
　（第１９参考例・・図４０、図４１）
　図４０は本発明の第１９参考例の要部を示す概略的平面図、図４１は図４０のＸ２−Ｘ２線に沿った概略的断面図であり、図４０、図４１において、２８８は絶縁基板、２８９は等長平行配線とされたカップリング係数を大とする信号配線２９０、２９１からなる相補送信デジタル信号を１方向に伝送する信号配線ペアである。
【０３０８】
　また、２９２は信号配線２９０を伝送されてくる正相送信デジタル信号を受信して取り出すための方向性結合器２９３及び信号配線２９１を伝送されてくる逆相送信デジタル信号を受信して取り出すための方向性結合器２９４からなる方向性結合器ペアである。
【０３０９】
　また、方向性結合器２９３において、２９５は信号配線２９０と平行に形成され、長さを送信デジタル信号の基本周波数成分の波長λの１／４とし、信号配線２９０を伝送されてくる正相送信デジタル信号の基本周波数成分を受信する配線部である。
【０３１０】
　また、２９６、２９７は配線部２９５の両端部に信号配線２９０の電磁界との干渉を避けるために信号配線２９０と直交する方向に形成された配線部であり、配線部２９７の先端部２９８は、配線部２９５で受信した正相送信デジタル信号を取り出すための正相送信デジタル信号取り出し電極とされている。
【０３１１】
　また、方向性結合器２９４は、方向性結合器２９３が有する配線部２９５、２９６、２９７と対向する配線部を有していると共に、配線部２９７に対向する配線部の先端から右側に僅かに延長された配線部２９９を有している。
【０３１２】
　そして、スルーホール３００を介して配線部２９９に接続された逆相送信デジタル信号取り出し電極３０１が正相送信デジタル信号取り出し電極２９８と同一面に設けられている。
【０３１３】
　なお、方向性結合器２９３の配線部２９６の先端及び方向性結合器２９４の配線部２９６に対向する配線部の先端は、開放でも良いが、それぞれ、終端抵抗で終端することが好適である。
【０３１４】
　このように構成された本発明の第１９参考例においては、信号配線２９０を伝送されてくる正相送信デジタル信号の基本周波数成分を方向性結合器２９３の配線部２９５で受信し、正相送信デジタル信号取り出し電極２９８から取り出すことができると共に、信号配線２９１を伝送されてくる逆相送信デジタル信号の基本周波数成分を方向性結合器２９３の配線部２９５と対向する方向性結合器２９４の配線部で受信し、逆相送信デジタル信号取り出し電極３０１から取り出すことができる。
【０３１５】
　したがって、本発明の第１９参考例によれば、差動レシーバの正相入力端子及び逆相入力端子をそれぞれ正相送信デジタル信号取り出し電極２９８及び逆相送信デジタル信号取り出し電極３０１に接続することにより、信号配線ペア２８９を１方向に伝送される高速相補送信デジタル信号、たとえば、１ＧＨz以上の高速相補送信デジタル信号の受信を容易に行うことができる。
【０３１６】
　（第２０参考例・・図４２、図４３）
　図４２は本発明の第２０参考例の要部を示す概略的平面図、図４３は図４２のＸ３−Ｘ３線に沿った概略的断面図であり、図４２、図４３において、３０２は絶縁基板、３０３は等長平行配線とされたカップリング係数を大とする信号配線３０４、３０５からなる相補送信デジタル信号を双方向に伝送する信号配線ペアである。
【０３１７】
　また、３０６は信号配線３０４を伝送されてくる正相送信デジタル信号を受信して取り出すための方向性結合器３０７及び信号配線３０５を伝送されてくる逆相送信デジタル信号を受信して取り出すための方向性結合器３０８からなる方向性結合器ペアである。
【０３１８】
　また、方向性結合器３０７において、３０９は信号配線３０４と平行に形成され、長さを送信デジタル信号の基本周波数成分の波長λの１／４とし、信号配線３０４を伝送されてくる正相送信デジタル信号の基本周波数成分を受信する配線部、３１０、３１１は配線部３０９の両端部に信号配線３０４の電磁界との干渉を避けるために信号配線３０４と直交する方向に形成された配線部である。
【０３１９】
　そして、配線部３１０の先端部３１２は、左方向に伝送されてくる正相送信デジタル信号を取り出すための正相送信デジタル信号取り出し電極とされ、配線部３１１の先端部３１３は、右方向に伝送されてくる正相送信デジタル信号を取り出すための正相送信デジタル信号取り出し電極とされている。
【０３２０】
　また、方向性結合器３０８は、方向性結合器３０７が有する配線部３０９、３１０、３１１と対向する配線部を有すると共に、配線部３１０に対向する配線部の先端から左側に僅かに延長された配線部３１４及び配線部３１１に対向する配線部から右側に僅かに延長された配線部３１５を有している。
【０３２１】
　そして、スルーホール３１６を介して配線部３１４に接続された逆相送信デジタル信号取り出し電極３１７が正相送信デジタル信号取り出し電極３１２と同一面に設けられていると共に、スルーホール３１８を介して配線部３１５に接続された逆相送信デジタル信号取り出し電極３１９が正相送信デジタル信号取り出し電極３１３と同一面に設けられている。なお、図示は省略するが、方向性結合器３０７、３０８には受端終端抵抗が接続されている。
【０３２２】
　このように構成された本発明の第２０参考例によれば、信号配線３０４を左方向に伝送されてくる正相送信デジタル信号の基本周波数成分を方向性結合器３０７の配線部３０９で受信し、正相送信デジタル信号取り出し電極３１２から取り出すことができると共に、信号配線３０５を左方向に伝送されてくる逆相送信デジタル信号の基本周波数成分を方向性結合器３０７の配線部３０９と対向する方向性結合器３０８の配線部で受信し、逆相送信デジタル信号取り出し電極３１７から取り出すことができる。
【０３２３】
　また、信号配線３０４を右方向に伝送されてくる正相送信デジタル信号の基本周波数成分を方向性結合器３０７の配線部３０９で受信し、正相送信デジタル信号取り出し電極３１３から取り出すことができると共に、信号配線３０５を右方向に伝送されてくる逆相送信デジタル信号の基本周波数成分を方向性結合器３０７の配線部３０９と対向する方向性結合器３０８の配線部で受信し、逆相送信デジタル信号取り出し電極３１９から取り出すことができる。
【０３２４】
　したがって、本発明の第２０参考例によれば、差動レシーバの正相入力端子を正相送信デジタル信号取り出し電極３１２、３１３に接続すると共に、差動レシーバの逆相入力端子を逆相送信デジタル信号取り出し電極３１７、３１９に接続することにより、信号配線ペア３０３を双方向に伝送される高速相補送信デジタル信号、たとえば、１ＧＨz以上の高速相補送信デジタル信号の受信を容易に行うことができる。
【０３２５】
　（第２１参考例・・図４４、図４５）
　図４４は本発明の第２１参考例の要部を示す概略的平面図、図４５は図４４のＸ４−Ｘ４線に沿った概略的断面図であり、図４４、図４５において、３２０は絶縁基板、３２１は等長平行配線とされたカップリング係数を大とする信号配線３２２、３２３からなる相補送信デジタル信号を双方向に伝送する信号配線ペアである。
【０３２６】
　また、３２４は信号配線３２２を伝送されてくる正相送信デジタル信号を受信して取り出すための方向性結合器３２５及び信号配線３２３を伝送されてくる逆相送信デジタル信号を受信して取り出すための方向性結合器３２６からなる方向性結合器ペアである。
【０３２７】
　また、方向性結合器３２５において、３２７は信号配線３２２と平行に形成され、長さを送信デジタル信号の基本周波数成分の波長λの１／４とし、信号配線３２２を伝送されてくる正相送信デジタル信号の基本周波数成分を受信する配線部である。
【０３２８】
　また、３２８、３２９は信号配線３２２と平行に形成され、長さを送信デジタル信号の基本周波数成分の波長λの１／１２とし、信号配線３２２を伝送されてくる正相送信デジタル信号の第２高調波を受信する配線部である。
【０３２９】
　また、３３０、３３１は信号配線３２２と平行に形成され、長さを送信デジタル信号の基本周波数成分の波長λの１／２０とし、信号配線３２２を左方向に伝送されてくる正相送信デジタル信号の第３高調波を受信する配線部である。
【０３３０】
　また、３３２、３３３は配線部３２７の両端部に信号配線３２２の電磁界との干渉を避けるために信号配線３２２と直交する方向に形成された配線部であり、配線部３３２の先端部３３４は、左方向に伝送されてくる正相送信デジタル信号を取り出すための正相送信デジタル信号取り出し電極とされていると共に、配線部３３３の先端部３３５は、右方向に伝送されてくる正相送信デジタル信号を取り出すための正相送信デジタル信号取り出し電極とされている。
【０３３１】
　また、方向性結合器３２６は、方向性結合器３２５が有する配線部３２７、３２８、３２９、３３０、３３１、３３２、３３３と対向する配線部を有すると共に、配線部３３２に対向する配線部の先端から左側に僅かに延長された配線部３３６及び配線部３３３に対向する配線部から右側に僅かに延長された配線部３３７を有している。
【０３３２】
　そして、スルーホール３３８を介して配線部３３６に接続された逆相送信デジタル信号取り出し電極３３９が正相送信デジタル信号取り出し電極３３４と同一面に設けられていると共に、スルーホール３４０を介して配線部３３７に接続された逆相送信デジタル信号取り出し電極３４１が正相送信デジタル信号取り出し電極３３５と同一面に設けられている。なお、図示は省略するが、方向性結合器３２５、３２６には受端終端抵抗が接続されている。
【０３３３】
　このように構成された本発明の第２１参考例においては、信号配線３２２を左方向に伝送されてくる正相送信デジタル信号の基本周波数成分、第２高調波、第３高調波をそれぞれ方向性結合器３２５の配線部３２７、３２８、３３０で受信し、正相送信デジタル信号取り出し電極３３４から取り出すことができると共に、信号配線３２３を左方向に伝送されてくる逆相送信デジタル信号の基本周波数成分、第２高調波、第３高調波を方向性結合器３２５の配線部３２７、３２８、３３０と対向する方向性結合器３２６の配線部で受信し、逆相送信デジタル信号取り出し電極３３９から取り出すことができる。
【０３３４】
　また、信号配線３２２を右方向に伝送されてくる正相送信デジタル信号の基本周波数成分、第２高調波、第３高調波をそれぞれ方向性結合器３２５の配線部３２７、３２９、３３１で受信し、正相送信デジタル信号取り出し電極３３５から取り出すことができると共に、信号配線３２３を右方向に伝送されてくる逆相送信デジタル信号の基本周波数成分、第２高調波、第３高調波を方向性結合器３２５の配線部３２７、３２９、３３１と対向する方向性結合器３２６の配線部で受信し、逆相送信デジタル信号取り出し電極３４１から取り出すことができる。
【０３３５】
　したがって、本発明の第２１参考例によれば、差動レシーバの正相入力端子を正相送信デジタル信号取り出し電極３３４、３３５に接続すると共に、差動レシーバの逆相入力端子を逆相送信デジタル信号取り出し電極３３９、３４１に接続することにより、信号配線ペア３２１を双方向に伝送される高速相補送信デジタル信号、たとえば、１ＧＨz以上の高速相補送信デジタル信号の受信を容易に行うことができる。
【０３３６】
　（第２２参考例・・図４６、図４７）
　図４６は本発明の第２２参考例の要部を示す概略的平面図、図４７は図４６のＸ５−Ｘ５線に沿った概略的断面図であり、図４６、図４７において、３４３は絶縁基板、３４４は等長平行配線とされたカップリング係数を大とする信号配線３４５、３４６からなる相補送信デジタル信号を双方向に伝送する信号配線ペアである。
【０３３７】
　また、３４７は信号配線３４５を伝送されてくる正相送信デジタル信号を受信して取り出すための方向性結合器３４８及び信号配線３４６を伝送されてくる逆相送信デジタル信号を受信して取り出すための方向性結合器３４９からなる方向性結合器ペアである。
【０３３８】
　また、方向性結合器３４８において、３５０は信号配線３４５と平行とされ、長さを送信デジタル信号の基本周波数成分の波長λの１／４とし、信号配線３４５を伝送されてくる正相送信デジタル信号の基本周波数成分を受信する配線部である。
【０３３９】
　また、３５１、３５２は信号配線３４５と平行とされ、長さを送信デジタル信号の基本周波数成分の波長λの１／１２とし、信号配線３４５を伝送されてくる正相送信デジタル信号の第２高調波を受信する配線部である。
【０３４０】
　また、３５３、３５４は信号配線３４５と平行とされ、長さを送信デジタル信号の基本周波数成分の波長λの１／２０とし、信号配線３４５を伝送されてくる正相送信デジタル信号の第３高調波を受信する配線部である。なお、本発明の第２２参考例においては、配線部３５０、３５１、３５２、３５３、３５４は一体として構成されている。
【０３４１】
　また、３５５、３５６は配線部３５０の両端部に信号配線３４５の電磁界との干渉を避けるために信号配線３４５と直交する方向に形成された配線部であり、配線部３５５の先端部３５７は、左方向に伝送されてくる正相送信デジタル信号を取り出すための正相送信デジタル信号取り出し電極とされていると共に、配線部３５６の先端部３５８は、右方向に伝送されてくる正相送信デジタル信号取り出し電極とされている。
【０３４２】
　また、方向性結合器３４９は、方向性結合器３４８が有する配線部３５０、３５１、３５２、３５３、３５４、３５５、３５６と対向する配線部を有していると共に、配線部３５５に対向する配線部の先端から左側に僅かに延長された配線部３５９及び配線部３５６に対向する配線部から右側に僅かに延長された配線部３６０を有している。
【０３４３】
　そして、スルーホール３６１を介して配線部３５９に接続された逆相送信デジタル信号取り出し電極３６２が正相送信デジタル信号取り出し電極３５７と同一面に設けられていると共に、スルーホール３６３を介して配線部３６０に接続された逆相送信デジタル信号取り出し電極３６４が正相送信デジタル信号取り出し電極３５８と同一面に設けられている。なお、図示は省略するが、方向性結合器３４８、３４９には受端終端抵抗が接続されている。
【０３４４】
　このように構成された本発明の第２２参考例においては、信号配線３４５を左方向に伝送されてくる正相送信デジタル信号の基本周波数成分、第２高調波、第３高調波をそれぞれ方向性結合器３４８の配線部３５０、３５１、３５３で受信し、正相送信デジタル信号取り出し電極３５７から取り出すことができると共に、信号配線３４６を左方向に伝送されてくる逆相送信デジタル信号の基本周波数成分、第２高調波、第３高調波を方向性結合器３４８の配線部３５０、３５１、３５３と対向する方向性結合器３４９の配線部で受信し、逆相送信デジタル信号取り出し電極３６２から取り出すことができる。
【０３４５】
　また、信号配線３４５を右方向に伝送されてくる正相送信デジタル信号の基本周波数成分、第２高調波、第３高調波をそれぞれ方向性結合器３４８の配線部３５０、３５２、３５４で受信し、正相送信デジタル信号取り出し電極３５８から取り出すことができると共に、信号配線３４６を右方向に伝送されてくる逆相送信デジタル信号の基本周波数成分、第２高調波、第３高調波を方向性結合器３４８の配線部３５０、３５２、３５４と対向する方向性結合器３４９の配線部で受信し、逆相送信デジタル信号取り出し電極３６４から取り出すことができる。
【０３４６】
　したがって、本発明の第２２参考例によれば、差動レシーバの正相入力端子を正相送信デジタル信号取り出し電極３５７、３５８に接続すると共に、差動レシーバの逆相入力端子を逆相送信デジタル信号取り出し電極３６２、３６４に接続することにより、信号配線ペア３４４を双方向に伝送される高速相補送信デジタル信号、たとえば、１ＧＨz以上の高速相補送信デジタル信号の受信を容易に行うことができる。
【図面の簡単な説明】
【０３４７】
【図１】本発明の第１実施形態の概略的平面図である。
【図２】本発明の第１実施形態の概略的下面図である。
【図３】本発明の第１実施形態が備える配線基板に形成されている配線の一部分を示す概略的平面図である。
【図４】本発明の第１実施形態が備える配線基板に形成されている配線の一部分を示す概略的下面図である。
【図５】本発明の第１実施形態が備える配線基板に設けられている終端抵抗形成領域を示す概略的下面図である。
【図６】本発明の第２実施形態の要部を示す概略的断面図である。
【図７】本発明の第３実施形態の概略的平面図である。
【図８】本発明の第３実施形態の概略的下面図である。
【図９】本発明の第４実施形態の概略的断面図である。
【図１０】本発明の第５実施形態の概略的平面図である。
【図１１】図１０のＸ１−Ｘ１線に沿った概略的断面図である。
【図１２】本発明の第１参考例の概念図である。
【図１３】本発明の第１参考例が備える信号配線ペア及び電源・接地配線ペアの第１構成例を示す概略的断面図である。
【図１４】本発明の第１参考例が備える信号配線ペア及び電源・接地配線ペアの第２構成例を示す概略的断面図である。
【図１５】本発明の第２参考例の概念図である。
【図１６】本発明の第２参考例が備える信号配線ペア及び電源・接地配線ペアの第１構成例を示す概略的断面図である。
【図１７】本発明の第２参考例が備える信号配線ペア及び電源・接地配線ペアの第２構成例を示す概略的断面図である。
【図１８】本発明の第３参考例の概念図である。
【図１９】本発明の第４参考例の概念図である。
【図２０】本発明の第４参考例が備える信号配線ペアをコプレーナ配線構造とした場合のＩＣチップ搭載領域の構成例を示す概略的平面図である。
【図２１】本発明の第４参考例が備える信号配線ペアをスタック配線構造とした場合のＩＣチップ搭載領域の一部分の構成例を示す概略的斜視図である。
【図２２】本発明の第５参考例の概念図である。
【図２３】本発明の第５参考例が備えるスリーステイトＣＭＯＳ差動ドライバの構成を示す回路図である。
【図２４】本発明の第５参考例が備える終端抵抗部の構成を示す回路図である。
【図２５】本発明の第６参考例の概念図である。
【図２６】本発明の第７参考例の概念図である。
【図２７】本発明の第７参考例の動作を説明するための波形図である。
【図２８】本発明の第８参考例の概念図である。
【図２９】本発明の第９参考例の概念図である。
【図３０】本発明の第１０参考例の概念図である。
【図３１】本発明の第１１参考例の概念図である。
【図３２】本発明の第１２参考例の概念図である。
【図３３】本発明の第１３参考例の概念図である。
【図３４】本発明の第１３参考例の動作を説明するためのタイムチャートである。
【図３５】本発明の第１４参考例の概念図である。
【図３６】本発明の第１５参考例の概念図である。
【図３７】本発明の第１６参考例の概念図である。
【図３８】本発明の第１７参考例の概念図である。
【図３９】本発明の第１８参考例の概念図である。
【図４０】本発明の第１９参考例の要部を示す概略的平面図である。
【図４１】図４０のＸ２−Ｘ２線に沿った概略的断面図である。
【図４２】本発明の第２０参考例の要部を示す概略的平面図である。
【図４３】図４２のＸ３−Ｘ３線に沿った概略的断面図である。
【図４４】本発明の第２１参考例の要部を示す概略的平面図である。
【図４５】図４４のＸ４−Ｘ４線に沿った概略的断面図である。
【図４６】本発明の第２２参考例の要部を示す概略的平面図である。
【図４７】図４６のＸ５−Ｘ５線に沿った概略的断面図である。
【図４８】従来の電子装置の一例を示す回路図である。
【符号の説明】
【０３４８】
　１６６…配線基板
　１６７…配線基板の表面
　１６８…配線基板の裏面
　１６９〜１７２…スルーホール
　１７３…ＣＰＵ搭載領域
　１７４…終端抵抗形成領域
　１７５〜１７８…信号配線群
　１７９〜２１４…電源・接地配線ペア
　２１６…ＣＰＵ
　２１７〜２４８…メモリ
　２５０〜２５３…終端抵抗群
　２５５…入出力チップ
　２５６…クロック・ジェネレータ
　２５７…ＰＣＩポート
　２５８…画像音声ポート
　２５９…信号圧縮伸長チップ
　２６０…通信ポート
　２６３〜２６６…半田バンプ
　２６８〜２７１…電源・接地配線ペア
　２７３、２７４…配線基板
　２７５、２７６…素子搭載面
　２７７、２７８…半田バンプ
　２８０、２８１…半導体基板
　２８４…電極群
　２８５、２８６…半田バンプ
【図１】
2004046888.tif 000003
【図２】
2004046888.tif 000004
【図３】
2004046888.tif 000005
【図４】
2004046888.tif 000006
【図５】
2004046888.tif 000007
【図６】
2004046888.tif 000008
【図７】
2004046888.tif 000009
【図８】
2004046888.tif 000010
【図９】
2004046888.tif 000011
【図１０】
2004046888.tif 000012
【図１１】
2004046888.tif 000013
【図１２】
2004046888.tif 000014
【図１３】
2004046888.tif 000015
【図１４】
2004046888.tif 000016
【図１５】
2004046888.tif 000017
【図１６】
2004046888.tif 000018
【図１７】
2004046888.tif 000019
【図１８】
2004046888.tif 000020
【図１９】
2004046888.tif 000021
【図２０】
2004046888.tif 000022
【図２１】
2004046888.tif 000023
【図２２】
2004046888.tif 000024
【図２３】
2004046888.tif 000025
【図２４】
2004046888.tif 000026
【図２５】
2004046888.tif 000027
【図２６】
2004046888.tif 000028
【図２７】
2004046888.tif 000029
【図２８】
2004046888.tif 000030
【図２９】
2004046888.tif 000031
【図３０】
2004046888.tif 000032
【図３１】
2004046888.tif 000033
【図３２】
2004046888.tif 000034
【図３３】
2004046888.tif 000035
【図３４】
2004046888.tif 000036
【図３５】
2004046888.tif 000037
【図３６】
2004046888.tif 000038
【図３７】
2004046888.tif 000039
【図３８】
2004046888.tif 000040
【図３９】
2004046888.tif 000041
【図４０】
2004046888.tif 000042
【図４１】
2004046888.tif 000043
【図４２】
2004046888.tif 000044
【図４３】
2004046888.tif 000045
【図４４】
2004046888.tif 000046
【図４５】
2004046888.tif 000047
【図４６】
2004046888.tif 000048
【図４７】
2004046888.tif 000049
【図４８】
2004046888.tif 000050